(57)【要約】【課題】  血液等で汚染された尖った先端が、装置下部から偶発的に飛び出すことがない医療用針安全装置を提供する。【解決手段】シールド部材（３）を備え、当該シールド部材は、シールドハブ（３５）と、シールド部材接続ハブ（４０Ｈ）と、脚部（３１・３２）とを有し、この脚部（３１・３２）は、第１の折り畳み位置から第２の伸張位置まで伸張でき、前記脚部（３１・３２）が第一の折り畳み位置にあるときは、針（２１）は、前記シールド部材接続ハブ（４０Ｈ）の空間（４０Ｓ）内に挿入され、前記脚部（３１・３２）が第二の伸長位置までに伸長されたときは、前記摺動部材（４２）の壁（４３ＤＷ）は、前記シールド部材接続ハブ（４０Ｈ）の空間（４０Ｓ）内に引きこまれ、針（２１）の末端（２３）が外部に露出するのを防ぐことができるように形成した、医療用針安全装置（１）を提供する。【選択図】  図１
2013138853.tif 000002
【特許請求の範囲】
【請求項１】
医療用針安全装置（１、１´）であって、
針部材（２）と、シールド部材（３、３´）と、固定部材（５、５´）とを有し、
前記針部材（２）は、末端（２３）を有する針（２１）を有し、当該針（２１）は、基端ＰＥ側を針ハブ（２２）に固定し、
前記シールド部材（３、３´）は、シールドハブ（３５）と、シールド部材接続ハブ（４０Ｈ、４０Ｈ´）と、脚部（３１・３２）とを有し、
前記固定部材（５、５´）は、固定部材接続ハブ（５０Ｈ、５０Ｈ´）を有し、
前記シールド部材（３、３´）のシールド部材接続ハブ（４０Ｈ、４０Ｈ´）は、第一摺動部材（４２）、または、第二摺動部材（４２´）を有し、
当該シールド部材接続ハブ（４０Ｈ、４０Ｈ´）は、前記針（２１）の末端（２３）と前記第一摺動部材（４２）の壁（４３ＤＷ）、または前記第二摺動部材（４２´）の壁（４２Ｂ´、４５´）を収容することのできる空間（４０Ｓ）を形成し、
当該シールド部材接続ハブ（４０Ｈ、４０Ｈ´）は、下部Ｄに針（２１）が通過できる開口部（４０Ｏ、４０Ｏ´）を有し、
前記脚部（３１・３２）は、第１の折り畳み位置から第２の伸張位置まで伸張でき、
前記第一摺動部材（４２）の壁（４３ＤＷ）は、前記脚部（３１・３２）が第一の折り畳み位置から第二の伸長位置まで伸びるときに、これらと連動して、前記空間（４０Ｓ）の断面を遮断することができる位置まで変位し、または、
前記第二摺動部材（４２´）の壁（４２Ｂ´、４５´）は、前記脚部（３１・３２）が第一の折り畳み位置から第二の伸長位置まで伸びるときに、これらと連動して、前記接続部ハブ（４０Ｈ´）の開口部（４０Ｏ´）の断面を遮断することができる位置まで変位し、
前記脚部（３１・３２）が第一の折り畳み位置にあるときは、前記針（２１）は、前記シールド部材接続ハブ（４０Ｈ、４０Ｈ´）の空間（４０Ｓ）内に挿入され、
前記脚部（３１・３２）が第二の伸長位置までに伸長されたときは、前記第一摺動部材（４２）の壁（４３ＤＷ）または前記第二摺動部材（４２）の壁（４２Ｂ´、４５´）は、前記シールド部材接続ハブ（４０Ｈ、４０Ｈ´）の空間（４０Ｓ）内に引きこまれ、
これにより前記第一摺動部材（４２）の壁（４３ＤＷ）は、前記シールド部材接続ハブ（４０Ｈ）の空間（４０Ｓ）の断面を遮断して、前記針（２１）の末端（２３）が、前記摺動部材（４２）の壁（４３ＤＷ）よりも下部Ｄに移動するのを阻止し、または、
前記第二摺動部材（４２´）の壁（４２Ｂ´）は、前記シールド部材接続ハブ（４０Ｈ´）の開口部（４０Ｏ´）の断面を遮断して、前記針（２１）の末端（２３）が、前記摺動部材（４２´）の壁（４２Ｂ´）よりも下部Ｄに移動するのを阻止し、
前記針（２１）の末端（２３）が外部に露出するのを防ぐことができるように形成した、ことを特徴とする針安全装置（１、１´）。
【請求項２】
前記シールド部材（３、３´のシールド部材接続ハブ（４０Ｈ、４０Ｈ´）は、基端ＰＥ側に前記第一摺動部材（４２）または前記第二摺動部材（４２´）を形成し、
末端ＤＥ側にシールド部材第１係止部（４８）を形成し、第１側部Ｓ１側と第２側部Ｓ２側にそれぞれ、シールド部材第２係止部（４６）と、シールド部材第３係止部（４７）を形成し、
前記シールド部材第２係止部（４６）は、前記シールド部材第３係止部（４７）よりも上部Ｕに形成したことを特徴とする請求項１に記載の医療用針安全装置（１、１´）。
【請求項３】
前記固定部材（５、５´）の固定部材接続ハブ（５０Ｈ、５０Ｈ´）は、複数の壁（５２、５７、６３）と壁（５１Ｗ）を有するカバー（５１、５１´）を有し、
前記複数の壁（５２、５７、６３）と前記カバー（５１、５１´）の前記壁（５１Ｗ）により、
当該固定部材接続ハブ（５０Ｈ、５０Ｈ´）の空間を、第１空間（５３）と第２空間（５９）に区画し、
前記第１空間（５３）は、前記シールド部材（３、３´）のシールド部材接続ハブ（４０Ｈ、４０Ｈ´）を収納することができる、ことを特徴とする請求項１または請求項２に記載の医療用針安全装置（１、１´）。
【請求項４】
前記固定部材（５、５´）の固定部材接続ハブ（５０Ｈ、５０Ｈ´）の複数の壁（５２、５７、６３）は、
水平軸線ＨＬの長さ方向に延設した一対の第１側壁（５２）と、
固定部材接続ハブ（５０Ｈ）の基端ＰＥ側に第１側部Ｓ１から第２側部Ｓ２方向に形成した第２側壁（６３）と、
前記一対の第１側壁（５２）の途中から第１側部Ｓ１から第２側部Ｓ２方向に形成した中壁（５７）と、
当該中壁（５７）の基端側に形成した摺動壁（６０）とを有する、ことを特徴とする請求項１から請求項３のいずれか１項に記載の医療用針安全装置（１、１´）。
【請求項５】
前記固定部材（５）の固定部材接続ハブ（５０Ｈ）の複数の壁（５２、５７、６３）は、
水平軸線ＨＬの長さ方向に延設した一対の第１側壁（５２）と、
固定部材接続ハブ（５０Ｈ）の基端ＰＤ側に第１側部Ｓ１から第２側部Ｓ２方向に形成した第２側壁（６３）と、
前記一対の第１側壁（５２）の途中から第１側部Ｓ１から第２側部Ｓ２方向に形成した中壁（５７）と、
当該中壁（５７）の基端側に形成した摺動壁（６０）とを有し、
当該中壁（５７）の末端側に、固定部材第３係止部（５８）を形成した、ことを特徴とする請求項１から請求項４のいずれか１項に記載の医療用針安全装置（１）。
【請求項６】
前記シールド部材（３）のシールド部材接続ハブ（４０Ｈ）の第一摺動部材（４２）は、
末端側壁（４３ＤＷ）と下部壁（４２Ｂ）を有し、
第１側Ｓ１側と第２側部Ｓ２側に、摺動壁（４５）を形成し、
当該摺動壁（４５）に、溝（４３）を形成した、ことを特徴とする請求項１から請求項５のいずれか１項に記載の医療用針安全装置（１）
【請求項７】
前記シールド部材（３）のシールド部材接続ハブ（４０Ｈ）と、前記固定部材（５）の固定部材接続ハブ（５０Ｈ）とを接続した時、
前記固定部材（５）の固定部材接続ハブ（５０Ｈ）の固定部材第３係止部（５８）は、前記シールド部材（３）の第一摺動部材（４２）の溝（４３）に嵌合して係止され、かつ前記第一摺動部材（４２）の摺動壁（４５）は、前記中壁（５７）の摺動壁（６０）に当接され、
前記シールド部材接続ハブ（４０Ｈ）の第一摺動部材（４２）が、前記脚部（３１・３２）が第一の折り畳み位置から第二の伸長位置まで伸長するときに、これらと連動して、前記接続ハブ（４０Ｈ）の空間（４０Ｓ）内に引き込まれ、
前記第一摺動部材（４２）の末端側壁（４３ＤＷ）は、前記空間（４０Ｓ）の断面を遮断することができる位置まで変位することができる、ことを特徴とする請求項４から請求項６のいずれか１項に記載の医療用針安全装置（１）。
【請求項８】
前記脚部（３１・３２）が第一の折り畳み位置にあるときは、
前記シールド部材（３、３´）のシールド部材接続ハブ（４０Ｈ、４０Ｈ´）の第２係止部（４６）は、前記固定部材（５、５´）の固定部材接続ハブ（５０Ｈ、５０Ｈ´）の第１上壁（６１）の下部の位置にあり、
前記脚部（３１・３２）が第一の折り畳み位置から第二の伸長位置まで伸長したときは、
前記シールド部材接続ハブ（４０Ｈ、４０Ｈ´）のシールド部材第２係止部（４６）は、第１上壁（６１）の上部に係止され、かつ前記シールド部材接続ハブ（４０Ｈ、４０Ｈ´）のシールド部材第３係止部（４７）は、第１上壁（６１）の下部に係止され、
前記シールド部材接続ハブ（４０Ｈ、４０Ｈ´）が、前記固定部材（５、５´）の固定部材接続ハブ（５０Ｈ、５０Ｈ´）から抜けるのを防止することができる、ことを特徴とする請求項１から請求項７のいずれか１項に記載の医療用針安全装置（１、１´）。
【請求項９】
前記シールド部材（３）のシールド部材接続ハブ（４０Ｈ）の摺動壁（４５）に溝（４３）を形成し、当該溝（４３）に係止するために、前記固定部材（５）の固定部材接続ハブ（５０Ｈ）の中壁（５７）の固定部材第３係止部（５８）をリブ状に形成し、または
前記シールド部材（３）のシールド部材接続ハブ（４０Ｈ）の摺動壁（４５）に、リブ状の係止部を形成し、当該リブ状の係止部を係止するために、前記固定部材（５）の固定部材接続ハブ（５０Ｈ）の中壁（５７）に溝を形成した、ことを特徴とする請求項４から請求項８のいずれか１項に記載の医療用針安全装置（１）。
【請求項１０】
前記シールド部材（３´）のシールド部材接続ハブ（４０Ｈ´）の摺動部材（４２´）は、
摺動壁（４５´）と下部壁（４２Ｂ´）を有する、ことを特徴とする請求項１から請求項９のいずれか１項に記載の医療用針安全装置（１´）。
【請求項１１】
前記シールド部材（３´）のシールド部材接続ハブ（４０Ｈ´）と、前記固定部材（５´）の固定部材接続ハブ（５０Ｈ´）とを接続した時、
前記摺動部材（４２´）の摺動壁（４５´）は、前記中壁（５７）の摺動壁（６０）に当接され、
前記シールド部材接続ハブ（４０Ｈ´）の摺動部材（４２´）は、前記脚部（３１・３２）が第一の折り畳み位置から第二の伸長位置まで伸長するときに、これらと連動して、前記シールド部材接続ハブ（４０Ｈ´）の空間（４０Ｓ´）内に引き込まれ、
前記摺動部材（４２´）の下部壁（４２Ｂ´）は、前記開口部（４０Ｏ´）の断面を遮断することができる位置まで変位することができる、ことを特徴とする請求項１から請求項１０のいずれかに記載の医療用針安全装置（１´）。
【請求項１２】
前記カバー（５１´）は、上部Ｕに、新規固定部材第２係止部（５６´）を有し、
前記シールド部材（３´）のシールド部材接続ハブ（４０Ｈ´）と、前記固定部材（５´）の固定部材接続ハブ（５０Ｈ´）とを接続した時、
前記新規固定部材第２係止部（５６´）は、前記シールド部材（３´）のシールド部材接続ハブ（４０Ｈ´）を、上部Ｕ方向から抑えつけて、一度閉じたカバー（５１´）が開かないように形成した、
ことを特徴とする請求項３から請求項１１のいずれか１項に記載の医療用針安全装置（１´）。
【請求項１３】
前記シールド部材（３、３´）は、前記シールドハブ（３５）、前記脚部（３１・３２）、及び前記シールド部材接続ハブ（４０、４０Ｈ´）を、同一材料で一体成形により形成した、ことを特徴とする請求項１から請求項１２のいずれか１項に記載の医療用針安全装置（１、１´）。
【請求項１４】
前記固定部材（５、５´）は、針ガイド部材（７０、７０´）を有し、当該針ガイド部材（７０、７０´）を、下開口部（５０ＯＤ）に装着した、ことを特徴とする請求項１から請求項１３のいずれか１項に記載の針安全装置（１、１´）。
【請求項１５】
前記針ガイド部材（７０、７０´）は、略板状の壁（７１、７１´）を有し、
当該壁（７１、７１´）は、針通過孔（７２、７２´）を有し、
前記壁（７１、７１´）は、針ガイド部材第１係止部（７３、７３´）と針ガイド部材第２係止部（７５、７５´）とを有する、ことを特徴とする請求項１４に記載の針安全装置（１、１´）。
【請求項１６】
前記固定部材（５、５´）は、第１側壁（５２）に第１側壁係止溝（５２Ｍ）を有し、
前記固定部材（５、５´）は、摺動壁（６０）の下部Ｄ側に針ガイド部材係止部（６０Ｋ）を有し、
前記針ガイド部材（７０、７０´）の針ガイド部材第１係止部（７３、７３´）を前記第１側壁係止溝（５２Ｍ）に係止し、
前記針ガイド部材（７０、７０´）の針ガイド部材第２係止部（７５、７５´）を前記針ガイド部材係止部（６０Ｋ）に係止した、ことを特徴とする請求項１４または請求項１５に記載の針安全装置（１、１´）。
【請求項１７】
前記針（２１）は、基端ＰＥ側から末端ＤＥ側へ向かう途中から、水平軸線ＨＬに対して、垂直軸線ＶＬ側に所定の角度で折れ曲がり、
前記針（２１）の基端ＰＥ側の針ハブ（２２）を、前記シールドハブ（３５）に固定したことを特徴とする請求項１から請求項１６のいずれか１項に記載の針安全装置（１、１´）。
【発明の詳細な説明】
【技術分野】
【０００１】
本発明は、医療用針のための安全装置に関し、特に使用後の医療用針の危険な露出を防止するためのシールド部材（保護部材）を有する医療用針安全装置に関する。
本発明は、例えば、ポート アクセス インフュージョン セット（ＰＯＲＴ ＡＣＣＥＳＳ  ＩＮＦＵＳＩＯＮ ＳＥＴ、「ＰＡＩＳ」と称される。）を構成する湾曲針（針ハブに対して略９０度曲がった形状をしている。）を保護（シールド）するもので、特に湾曲針のシールド部材（保護部材）の形態を改良した医療用針安全装置の改良に関する。
なお「ポート」とは、患者の体内に埋め込まれた部材であり、当該部材を通して医療用針から抗癌剤等の薬液を注入するシステムを形成する部材である。
【背景技術】
【０００２】
このような、医療用針安全装置に関する先行技術として、代表的なものである特許文献１には、以下のような、医療用針安全装置が記載されている。すなわち、ハブに取り付けられた基端を有する針の末端を包囲するために後退位置から伸長位置まで伸長可能であるシールドであって、長手軸線の周りに第一の内側空間を規定している側壁を有している外側軸受けと、前記長手軸線の周りに第二の内側空間を規定している側壁を有している内側軸受けであって、前記針が当該第二の内側空間内に配置されて前記長手軸線に沿って移動できるようになされており、前記第一の内側空間内に配置されて当該空間内で前記長手軸線に沿って動くことができる前記内側軸受けと、前記伸長位置において前記針の末端を前記第二の内側空間内に固定するために、前記針に対して楔止めするために前記内側軸受けと共に動くことができる楔状部分とを有する前記シールドと、前記ハブに結合された基端と、前記伸長位置において前記シールドが前記針から分離するのを防止するために前記内側軸受けに結合された末端とを備えた繋ぎ綱とを含む、針安全装置、である。
【先行技術文献】
【特許文献】
【０００３】
【特許文献１】特表２００７−５１１２８５号公報（特許請求の範囲、図１〜図７、図１６〜図２８：パテントファミリー米国特許第７３５１２３０））
【発明の概要】
【発明が解決しようとする課題】
【０００４】
しかしながら、以上詳述した、特許文献１の、特に図１〜図７に示された針安全装置１０や図１６〜図２８に記載された針安全装置１１０においては、患者の体内から抜き取られ、患者の血液や体液が付着したその医療用針１２、１１２の尖った先端は、シールドアセンブリ２２、１２２の楔状部分５２、１５２の内部の壁面によって包囲されるが、当該医療用針１２、１１２の尖った先端末端１４、１１４は、その楔状部分５２、１５２に、完全に包囲されることなく、下部は解放されているという問題がある。
このため当該医療用針１２、１１２の患者の病原体ウイルス等を含む可能性のある血液等で汚染された尖った先端１４、１１４が、下部から偶発的に飛び出して、医療従事者や作業者（医師、看護士等）の針刺し、ウイルス等の感染事故を起こすことが懸念される。
また当該尖った先端１４、１１４に、病原菌を含む患者の血液が付着している場合は、解放されている部分から汚染血液が飛散することもあり、衛生的でない。
【０００５】
さらにまた、その製造上、特許文献１の図１〜図７に記載の針安全装置１０、図１６〜図２８に記載された針安全装置１１０の、シールドアセンブリ２２、１２２は、ヒンジ部分４４Ａ、４４Ｂ、１４４Ａ、１４４Ｂ、内側軸受け２４、１２４、外側軸受け２６、１２６及び楔状部分５２、１５２のそれぞれが、それぞれ別々の部品により形成され、これらを組み立てている。
このため部品点数が多くなり、組み立てるのも手間がかり、コスト高になるという製造上の問題もある。
【課題を解決するための手段】
【０００６】
本発明の目的は、特許文献１に代表される先行技術における医療用針において、使用後の針の先端が安全装置内に確実に封じこめ（contain or confine）られ、または装置内に固定され、血液等で汚染された尖った先端が、装置下部から偶発的に飛び出すことがなく、また、付着血液の飛散することのない、医療用針安全装置を提供することである。
また本発明の別の目的は、部品点数が少なく、容易に組み立てられ、経済的に生産できる医療用針安全装置を提供することである。
本発明は、このような課題を達成するためになされたもので、本発明によれば、以下の新規な医療用針安全装置が提供される。
本発明は共通の技術的思想により特徴付けられる二つの発明（または二つの実施態様）により構成される。これらを総合的に記載すると以下のとおりである。
【０００７】
〔１〕
医療用針安全装置（１、１´）であって、
針部材（２）と、シールド部材（３、３´）と、固定部材（５、５´）とを有し、
前記針部材（２）は、末端（２３）を有する針（２１）を有し、当該針（２１）は、基端ＰＥ側を針ハブ（２２）に固定し、
前記シールド部材（３、３´）は、シールドハブ（３５）と、シールド部材接続ハブ（４０Ｈ、４０Ｈ´）と、脚部（３１・３２）とを有し、
前記固定部材（５、５´）は、固定部材接続ハブ（５０Ｈ、５０Ｈ´）を有し、
前記シールド部材（３、３´）のシールド部材接続ハブ（４０Ｈ、４０Ｈ´）は、第一摺動部材（４２）、または、第二摺動部材（４２´）を有し、
当該シールド部材接続ハブ（４０Ｈ、４０Ｈ´）は、前記針（２１）の末端（２３）と前記第一摺動部材（４２）の壁（４３ＤＷ）、または前記第二摺動部材（４２´）の壁（４２Ｂ´、４５´）を収容することのできる空間（４０Ｓ）を形成し、
当該シールド部材接続ハブ（４０Ｈ、４０Ｈ´）は、下部Ｄに針（２１）が通過できる開口部（４０Ｏ、４０Ｏ´）を有し、
前記脚部（３１・３２）は、第１の折り畳み位置から第２の伸張位置まで伸張でき、
前記第一摺動部材（４２）の壁（４３ＤＷ）は、前記脚部（３１・３２）が第一の折り畳み位置から第二の伸長位置まで伸びるときに、これらと連動して、前記空間（４０Ｓ）の断面を遮断することができる位置まで変位し、または、
前記第二摺動部材（４２´）の壁（４２Ｂ´、４５´）は、前記脚部（３１・３２）が第一の折り畳み位置から第二の伸長位置まで伸びるときに、これらと連動して、前記接続部ハブ（４０Ｈ´）の開口部（４０Ｏ´）の断面を遮断することができる位置まで変位し、
前記脚部（３１・３２）が第一の折り畳み位置にあるときは、前記針（２１）は、前記シールド部材接続ハブ（４０Ｈ、４０Ｈ´）の空間（４０Ｓ）内に挿入され、
前記脚部（３１・３２）が第二の伸長位置までに伸長されたときは、前記第一摺動部材（４２）の壁（４３ＤＷ）または前記第二摺動部材（４２）の壁（４２Ｂ´、４５´）は、前記シールド部材接続ハブ（４０Ｈ、４０Ｈ´）の空間（４０Ｓ）内に引きこまれ、
これにより前記第一摺動部材（４２）の壁（４３ＤＷ）は、前記シールド部材接続ハブ（４０Ｈ）の空間（４０Ｓ）の断面を遮断して、前記針（２１）の末端（２３）が、前記摺動部材（４２）の壁（４３ＤＷ）よりも下部Ｄに移動するのを阻止し、または、
前記第二摺動部材（４２´）の壁（４２Ｂ´）は、前記シールド部材接続ハブ（４０Ｈ´）の開口部（４０Ｏ´）の断面を遮断して、前記針（２１）の末端（２３）が、前記摺動部材（４２´）の壁（４２Ｂ´）よりも下部Ｄに移動するのを阻止し、
前記針（２１）の末端（２３）が外部に露出するのを防ぐことができるように形成した、
ことを特徴とする針安全装置（１、１´）。
【０００８】
〔２〕
前記シールド部材（３、３´）のシールド部材接続ハブ（４０Ｈ、４０Ｈ´）は、基端ＰＥ側に前記第一摺動部材（４２）または前記第二摺動部材（４２´）を形成し、
末端ＤＥ側にシールド部材第１係止部（４８）を形成し、第１側部Ｓ１側と第２側部Ｓ２側にそれぞれ、シールド部材第２係止部（４６）と、シールド部材第３係止部（４７）を形成し、
前記シールド部材第２係止部（４６）は、前記シールド部材第３係止部（４７）よりも上部Ｕに形成したことを特徴とする〔１〕に記載の医療用針安全装置（１、１´）。
【０００９】
〔３〕
前記固定部材（５、５´）の固定部材接続ハブ（５０Ｈ、５０Ｈ´）は、複数の壁（５２、５７、６３）と壁（５１Ｗ）を有するカバー（５１、５１´）を有し、
前記複数の壁（５２、５７、６３）と前記カバー（５１、５１´）の前記壁（５１Ｗ）により、
当該固定部材接続ハブ（５０Ｈ、５０Ｈ´）の空間を、第１空間（５３）と第２空間（５９）に区画し、
前記第１空間（５３）は、前記シールド部材（３、３´）のシールド部材接続ハブ（４０Ｈ、４０Ｈ´）を収納することができる、ことを特徴とする〔１〕または〔２〕に記載の医療用針安全装置（１、１´）。
【００１０】
〔４〕
前記固定部材（５、５´）の固定部材接続ハブ（５０Ｈ、５０Ｈ´）の複数の壁（５２、５７、６３）は、
水平軸線ＨＬの長さ方向に延設した一対の第１側壁（５２）と、
固定部材接続ハブ（５０Ｈ）の基端ＰＥ側に第１側部Ｓ１から第２側部Ｓ２方向に形成した第２側壁（６３）と、
前記一対の第１側壁（５２）の途中から第１側部Ｓ１から第２側部Ｓ２方向に形成した中壁（５７）と、
当該中壁（５７）の基端側に形成した摺動壁（６０）とを有する、ことを特徴とする〔１〕から〔３〕のいずれか１項に記載の医療用針安全装置（１、１´）。
【００１１】
〔５〕
前記固定部材（５）の固定部材接続ハブ（５０Ｈ）の複数の壁（５２、５７、６３）は、
水平軸線ＨＬの長さ方向に延設した一対の第１側壁（５２）と、
固定部材接続ハブ（５０Ｈ）の基端ＰＤ側に第１側部Ｓ１から第２側部Ｓ２方向に形成した第２側壁（６３）と、
前記一対の第１側壁（５２）の途中から第１側部Ｓ１から第２側部Ｓ２方向に形成した中壁（５７）と、
当該中壁（５７）の基端側に形成した摺動壁（６０）とを有し、
当該中壁（５７）の末端側に、固定部材第３係止部（５８）を形成した、ことを特徴とする〔１〕から〔４〕のいずれか１項に記載の医療用針安全装置（１）。
【００１２】
〔６〕
前記シールド部材（３）のシールド部材接続ハブ（４０Ｈ）の第一摺動部材（４２）は、
末端側壁（４３ＤＷ）と下部壁（４２Ｂ）を有し、
第１側Ｓ１側と第２側部Ｓ２側に、摺動壁（４５）を形成し、
当該摺動壁（４５）に、溝（４３）を形成した、ことを特徴とする〔１〕から〔５〕のいずれか１項に記載の医療用針安全装置（１）
【００１３】
〔７〕
前記シールド部材（３）のシールド部材接続ハブ（４０Ｈ）と、前記固定部材（５）の固定部材接続ハブ（５０Ｈ）とを接続した時、
前記固定部材（５）の固定部材接続ハブ（５０Ｈ）の固定部材第３係止部（５８）は、前記シールド部材（３）の第一摺動部材（４２）の溝（４３）に嵌合して係止され、かつ前記第一摺動部材（４２）の摺動壁（４５）は、前記中壁（５７）の摺動壁（６０）に当接され、
前記シールド部材接続ハブ（４０Ｈ）の第一摺動部材（４２）が、前記脚部（３１・３２）が第一の折り畳み位置から第二の伸長位置まで伸長するときに、これらと連動して、前記接続ハブ（４０Ｈ）の空間（４０Ｓ）内に引き込まれ、
前記第一摺動部材（４２）の末端側壁（４３ＤＷ）は、前記空間（４０Ｓ）の断面を遮断することができる位置まで変位することができる、ことを特徴とする〔４〕から〔６〕のいずれか１項に記載の医療用針安全装置（１）。
【００１４】
〔８〕
前記脚部（３１・３２）が第一の折り畳み位置にあるときは、
前記シールド部材（３、３´）のシールド部材接続ハブ（４０Ｈ、４０Ｈ´）の第２係止部（４６）は、前記固定部材（５、５´）の固定部材接続ハブ（５０Ｈ、５０Ｈ´）の第１上壁（６１）の下部の位置にあり、
前記脚部（３１・３２）が第一の折り畳み位置から第二の伸長位置まで伸長したときは、
前記シールド部材接続ハブ（４０Ｈ、４０Ｈ´）のシールド部材第２係止部（４６）は、第１上壁（６１）の上部に係止され、かつ前記シールド部材接続ハブ（４０Ｈ、４０Ｈ´）のシールド部材第３係止部（４７）は、第１上壁（６１）の下部に係止され、
前記シールド部材接続ハブ（４０Ｈ、４０Ｈ´）が、前記固定部材（５、５´）の固定部材接続ハブ（５０Ｈ、５０Ｈ´）から抜けるのを防止することができる、ことを特徴とする〔１〕から〔７〕のいずれか１項に記載の医療用針安全装置（１、１´）。
【００１５】
〔９〕
前記シールド部材（３）のシールド部材接続ハブ（４０Ｈ）の摺動壁（４５）に溝（４３）を形成し、当該溝（４３）に係止するために、前記固定部材（５）の固定部材接続ハブ（５０Ｈ）の中壁（５７）の固定部材第３係止部（５８）をリブ状に形成し、または
前記シールド部材（３）のシールド部材接続ハブ（４０Ｈ）の摺動壁（４５）に、リブ状の係止部を形成し、当該リブ状の係止部を係止するために、前記固定部材（５）の固定部材接続ハブ（５０Ｈ）の中壁（５７）に溝を形成した、ことを特徴とする〔４〕から〔８〕のいずれか１項に記載の医療用針安全装置（１）。
【００１６】
〔１０〕
前記シールド部材（３´）のシールド部材接続ハブ（４０Ｈ´）の摺動部材（４２´）は、
摺動壁（４５´）と下部壁（４２Ｂ´）を有する、ことを特徴とする〔１〕から〔９〕のいずれか１項に記載の医療用針安全装置（１´）。
【００１７】
〔１１〕
前記シールド部材（３´）のシールド部材接続ハブ（４０Ｈ´）と、前記固定部材（５´）の固定部材接続ハブ（５０Ｈ´）とを接続した時、
前記摺動部材（４２´）の摺動壁（４５´）は、前記中壁（５７）の摺動壁（６０）に当接され、
前記シールド部材接続ハブ（４０Ｈ´）の摺動部材（４２´）は、前記脚部（３１・３２）が第一の折り畳み位置から第二の伸長位置まで伸長するときに、これらと連動して、前記シールド部材接続ハブ（４０Ｈ´）の空間（４０Ｓ´）内に引き込まれ、
前記摺動部材（４２´）の下部壁（４２Ｂ´）は、前記開口部（４０Ｏ´）の断面を遮断することができる位置まで変位することができる、ことを特徴とする〔１〕から〔１０〕いずれかに１項に記載の医療用針安全装置（１´）。
【００１８】
〔１２〕
前記カバー（５１´）は、上部Ｕに、新規固定部材第２係止部（５６´）を有し、
前記シールド部材（３´）のシールド部材接続ハブ（４０Ｈ´）と、前記固定部材（５´）の固定部材接続ハブ（５０Ｈ´）とを接続した時、
前記新規固定部材第２係止部（５６´）は、前記シールド部材（３´）のシールド部材接続ハブ（４０Ｈ´）を、上部Ｕ方向から抑えつけて、一度閉じたカバー（５１´）が開かないように形成した、ことを特徴とする〔３〕から〔１１〕のいずれか１項に記載の医療用針安全装置（１´）。
【００１９】
〔１３〕
前記シールド部材（３、３´）は、前記シールドハブ（３５）、前記脚部（３１・３２）、及び前記シールド部材接続ハブ（４０、４０Ｈ´）を、同一材料で一体成形により形成した、ことを特徴とする〔１〕から〔１２〕のいずれか１項に記載の医療用針安全装置（１、１´）。
【００２０】
〔１４〕
前記固定部材（５、５´）は、針ガイド部材（７０、７０´）を有し、当該針ガイド部材（７０、７０´）を、下開口部（５０ＯＤ）に装着した、ことを特徴とする〔１〕から〔１３〕のいずれか１項に記載の針安全装置（１、１´）。
【００２１】
〔１５〕
前記針ガイド部材（７０、７０´）は、略板状の壁（７１、７１´）を有し、
当該壁（７１、７１´）は、針通過孔（７２、７２´）を有し、
前記壁（７１、７１´）は、針ガイド部材第１係止部（７３、７３´）と針ガイド部材第２係止部（７５、７５´）とを有する、ことを特徴とする〔１４〕に記載の針安全装置（１、１´）。
【００２２】
〔１６〕
前記固定部材（５、５´）は、第１側壁（５２）に第１側壁係止溝（５２Ｍ）を有し、
前記固定部材（５、５´）は、摺動壁（６０）の下部Ｄ側に針ガイド部材係止部（６０Ｋ）を有し、
前記針ガイド部材（７０、７０´）の針ガイド部材第１係止部（７３、７３´）を前記第１側壁係止溝（５２Ｍ）に係止し、
前記針ガイド部材（７０、７０´）の針ガイド部材第２係止部（７５、７５´）を前記針ガイド部材係止部（６０Ｋ）に係止した、ことを特徴とする〔１４〕または〔１５〕に記載の針安全装置（１、１´）。
【００２３】
〔１７〕
前記針（２１）は、基端ＰＥ側から末端ＤＥ側へ向かう途中から、水平軸線ＨＬに対して、垂直軸線ＶＬ側に所定の角度で折れ曲がり、
前記針（２１）の基端ＰＥ側の針ハブ（２２）を、前記シールドハブ（３５）に固定したことを特徴とする〔１〕から〔１６〕のいずれか１項に記載の針安全装置（１、１´）。
以下、第一発明、第二発明（または第一実施態様、第二実施態様という。）を総称して「本発明」（または「本発明の実施態様」）といい、それぞれを区別するときは、「第一発明」（第一実施態様）または「第二発明」（第二実施態様）として説明する。
【発明の効果】
【００２４】
本発明は以下の効果を有する。
本第一発明の医療用針安全装置によれば、脚部３１、３２が第一の折り畳み位置から第二の伸長位置まで伸長したときは、摺動部材４２の壁４３ＤＷは、接続ハブ４０Ｈの空間４０Ｓ内に引きこまれ、これにより摺動部材４２の壁４３ＤＷは、接続ハブ４０Ｈの空間４０Ｓの断面を遮断する。
このため針２１の末端２３が、摺動部材４２の壁４３ＤＷよりも下部Ｄに移動するのを阻止し、針２１の末端２３が外部に露出するのを確実に防止することができる。
【００２５】
また、本第二発明の医療用針安全装置によれば、脚部３１、３２が第一の折り畳み位置から第二の伸長位置まで伸長したときは、摺動部材４２´の壁４２Ｂ´は、接続ハブ４０Ｈ´の空間４０Ｓ内に引きこまれ、これにより摺動部材４２´の壁４２Ｂ´は、接続ハブ４０Ｈ´の開口部４０Ｏ´の断面を遮断する。
このため針２１の末端２３が、摺動部材４２´の壁４２Ｂ´よりも下部Ｄに移動するのを阻止し、針２１の末端２３が外部に露出するのを確実に防止することができる。
【００２６】
また、本第一発明（第一実施態様）、第二発明（第二実施態様）とも共通して以下の効果を奏する。
すなわち、（ｉ）上記したところにより、針２１の末端２３に患者の血液等が付着していても、接続ハブ４０Ｈ（又は４０Ｈ´）の外に、飛散することを防ぐことができるので、衛生的であり、また（ｉｉ）このようにして、一度、接続ハブ４０Ｈ（又は４０Ｈ´）内に収納した針２１の末端２３が、偶発的に外に飛び出すことがないので、作業者は安心して廃棄することができ、さらに、（ｉｉｉ）シールド部材３を構成するシールドハブ３５、脚部３１、３２、及び接続ハブ４０Ｈ（又は４０Ｈ´）を、同一材料で一体成形により形成しているので、製造が容易で例えば引用文献１に記載の従来の装置と比較して安価に製造できる。
【図面の簡単な説明】
【００２７】
【図１】図１は、本発明（第一発明をいう。以下図１−２３、５０−５１、５４−５５について同じ。）の医療用針安全装置の全体図（組み立て前の分解斜視図）である。
【図２】図２は、シールド部材３を、第１側部Ｓ１方向、かつ基端ＰＥ方向から見た全体斜視図である。
【図３】図３は、シールド部材３を、第１側部Ｓ１方向、かつ基端ＰＥ方向から見た全体斜視図である。
【図４】図４は、シールド部材を、下部Ｄ方向かつ、末端ＤＥ方向から見た場合の接続ハブ４０Ｈの一部拡大斜視図である。
【図５】図５は、図２の接続ハブ４０Ｈの一部拡大斜視図である。
【図６】図６は、接続ハブ４０Ｈを、下部Ｄ方向かつ、第１側部Ｓ１方向から見た接続ハブ４０Ｈの一部拡大斜視図である。
【図７】図７は組み立て前の固定部材５（カバー５１は開いた状態にある。以下図８も同じ）を、上部Ｕ方向、かつ末端ＤＥ方向から見た全体斜視図である。
【図８】図８は、図７を第１側部Ｓ１方向から見た側面図 である。
【図９】図９は、組み立て後（第一の状態ないし第二の状態にある）の固定部材５（カバー５１は閉じた状態にある。以下図１０〜図１１、５２−５３についても同じ）を上部Ｕ方向、かつ末端ＤＥ方向から見た全体斜視図である。
【図１０】図１０は、固定部材５を上部Ｕ方向、かつ基端ＤＥ方向から見た全体斜視図である。
【図１１】図１１は、図９のＢ−Ｂ′断面図である。
【図１２】図１２は、本発明（第一発明）の医療用針安全装置の全体斜視図（第一の状態：第１・第２脚部（３１・３２）が完全に折り畳まれた位置（第一の折り畳み位置）にある状態、針をシールドする前の状態）である。
【図１３】図１３は、本発明の医療用針安全装置の全体斜視図（第二の状態：第１・第２脚部（３１・３２）が完全に伸長された位置（第二の伸張位置）にある状態、針２１の末端２３をシールドした後の状態）である。
【図１４】図１４は、図１２の一部拡大図である。
【図１５】図１５は、図１２の水平軸線ＨＬ方向の一部拡大縦断面図である。
【図１６】図１６は、図１２の第１側部Ｓ１−第２側部Ｓ２方向の一部拡大横断面図である。
【図１７】図１７は、図１２の水平軸線ＨＬ方向の一部拡大縦断面斜見図である。
【図１８】図１８は、図１２を下部Ｄ方向かつ、第２側部Ｓ２方向から見た全体斜視図である。
【図１９】図１９は、図１３の水平軸線ＨＬ線方向の縦断面図である。
【図２０】図２０は、図１９の一部拡大断面図である。
【図２１】図２１は、図１３の接続ハブ４０Ｈ付近の第１側部Ｓ１−第２側部Ｓ２方向の一部拡大横断面図である。
【図２２】図２２は、図１３の接続ハブ４０Ｈ付近の第２側部Ｓ２方向から見た水平軸線ＨＬ方向の一部拡大縦〔横〕断面図である。
【図２３】図２３は、図１３を、下部方向かつ基端ＰＥ方向から見た全体斜視図）である。
【図２４】図２４は、本発明（第二発明をいう。図２４−４９、５２−５３について同じ。）の医療用針安全装置の全体斜視図（第一の状態：第１・第２脚部（３１・３２）が完全に折り畳まれた位置（第一の折り畳み位置）にある状態、針をシールドする前の状態）である。
【図２５】図２５（Ａ）は、図１を下部Ｄ方向、かつ基端ＰＥ側から見た全体斜視図である。図２５（Ｂ）は（Ａ）の一部拡大図である。
【図２６】図２６（Ａ）は、図１の平面図である。図２６（Ｂ）は図１の底面図である。
【図２７】図２７（Ａ）は、図１を末端ＤＥ側から見た正面図である。図２７（Ｂ）は、図２４を基端ＰＥ側から見た正面図である。
【図２８】図２８（Ａ）は、図２４を第１側部Ｓ１側からみた側面図である。図２８（Ｂ）は、図２４を第２側部Ｓ２側からみた側面図である。
【図２９】図２９（Ａ）は、図２４の水平軸線方向の縦断面図である。図２９（Ｂ）は、図２９（Ａ）の一部拡大図である。
【図３０】図３０は、本発明の医療用針安全装置の全体斜視図（第二の状態：第１・第２脚部（３１、３２）が完全に伸長された位置（第二の伸張位置）にある状態、針２１の末端２３をシールドした後の状態）である。
【図３１】図３１（Ａ）は、図３０を下部Ｄ方向、かつ基端ＰＥ側から見た全体斜視図である。図３１（Ｂ）は図３１（Ａ）の一部拡大図である。
【図３２】図３２は、図３０を上部Ｕ方向、かつ基端ＰＥ側から見た全体斜視図である。
【図３３】図３３（Ａ）は、図３０の平面図である。図３３（Ｂ）は図３０の底面図である。
【図３４】図３４（Ａ）は、図３０の背面図である。図３４（Ｂ）は図３０を第１側部Ｓ１側から見た側面図である。図３４（Ｃ）は図３０を第２側部Ｓ２側から見た側面図である。
【図３５】図３５（Ａ）は、図３０の水平軸線方向の縦断面図である。図３５（Ｂ）は、図３５（Ａ）の一部拡大図である。
【図３６】図３６は、本発明（第二発明）の医療用針安全装置の全体図（組み立て前の分解斜視図）である。
【図３７】図３７（Ａ）は、組み立て前のシールド部材を上部Ｕ方向、かつ末端ＤＥ側から見た全体斜視図である。図３７（Ｂ）は、シールド部材の正面図である。図３７（Ｃ）は、シールド部材を下部Ｄ方向、かつ末端ＤＥ側から見た全体斜視図である。
【図３８】図３８（Ａ）は、図３７（Ａ）の接続ハブ４０Ｈ付近の一部拡大図である。図３８（Ｂ）は、図３８（Ａ）を下部Ｄ方向、かつ基端ＰＥ側から見た接続ハブ４０Ｈ付近の一部拡大図である。
【図３９】図３９（Ａ）は、組み立て前のシールド部材を上部Ｕ方向、かつ基端ＰＥ側から見た全体斜視図である。図３９（Ｂ）は、シールド部材の背面図である。図３９（Ｃ）は、シールド部材を下部Ｄ方向、かつ基端ＰＥ側から見た全体斜視図である。
【図４０】図４０（Ａ）は、組み立て前のシールド部材の平面図である。図４０（Ｂ）は、図４０（Ａ）の第１側部Ｓ１側から見た側面図である。図４０（Ｃ）は、図４０（Ａ）の底面図である。
【図４１】図４１は、組み立て前の固定部材５（カバー５１は開いた状態にある。以下図４２〜図４５も同じ）を、上部Ｕ方向、かつ末端ＤＥ側から見た全体斜視図である。
【図４２】図４２は、固定部材５を、上部Ｕ方向、かつ基端ＰＥ側から見た全体斜視図である。
【図４３】図４３（Ａ）は、固定部材５を、下部Ｄ方向、かつ末端ＤＥ側から見た全体斜視図である。図４３（Ｂ）は、固定部材５を、下部Ｄ方向、かつ基端ＰＥ側から見た全体斜視図である。
【図４４】図４４（Ａ）は、固定部材５の平面図である。図４４（Ｂ）は、固定部材５の底面図である。
【図４５】図４５（Ａ）は、固定部材５の正面図である。図４５（Ｂ）は、固定部材５を第１側部Ｓ１側から見た側面図である。図４５（Ｃ）は、（Ｂ）のＢ−Ｂ断面図である。図４５（Ｄ）は、固定部材５の背面図である。
【図４６】図４６（Ａ）は、組み立て後（第一の状態ないし第二の状態にある）固定部材５（カバー５１は閉じた状態にある。以下図４７〜図４９も同じ）を上部Ｕ方向、かつ末端ＤＥ側から見た全体斜視図である。図４６（Ｂ）は、固定部材５を上部Ｕ方向、かつ基端ＤＥ側から見た全体斜視図である。
【図４７】図４７（Ａ）は、固定部材５を下部Ｄ方向、かつ末端ＤＥ側から見た全体斜視図である。図４７（Ｂ）は、固定部材５を下部Ｄ方向、かつ基端ＰＥ側から見た全体斜視図である。
【図４８】図４８（Ａ）は、固定部材５の平面図である。図４８（Ｂ）は、固定部材５の底面図である。
【図４９】図４９（Ａ）は、固定部材５の正面図である。図４９（Ｂ）は、固定部材５を第１側部Ｓ１側から見た側面図である。図４９（Ｃ）は、（Ｂ）のＢ−Ｂ断面図である。図４９（Ｄ）は、固定部材５の背面図である。
【図５０】図５０は、固定部材５´の下開口部５０ＯＤに、針ガイド部材７０を装着した医療用安全装置１´の末端ＤＥ側かつ、下部Ｄ方向から見た全体斜視図である。
【図５１】図５１は、針ガイド部材７０を末端ＤＥ側かつ、上部Ｕ方向から見た全体斜視図である。
【図５２】図５２は、針ガイド部材７０´（その他の実施例）を末端ＤＥ側かつ、上部Ｕ方向から見た全体斜視図である。
【図５３】図５３は、図２９に対応し、（Ａ）は、（第二発明（第二の実施態様）の）固定部材５´の摺動壁６０に針ガイド部材係止部６０Ｋ（係止溝）を形成した縦断面図である。（Ｂ）は、固定部材５´の下開口部５０ＯＤに針ガイド部材７０を装着したところの縦断面図である。
【図５４】図５４は、図１９に対応し、（Ａ）は、（第一発明（第一の実施態様）の）固定部材５の摺動壁６０に針ガイド部材係止部６０Ｋ（係止溝）を形成した縦断面図である。（Ｂ）は、固定部材５の下開口部５０ＯＤに針ガイド部材７０を装着したところの縦断面図である。
【図５５】図５５は、図７に対応し、（第一発明（第一の実施態様）の）固定部材５の第１側壁５２に第１側壁係止溝５２Ｍを形成した全体斜視図である。
【発明を実施するための形態】
【００２８】
以下、図面を参照しながら本発明を詳細に説明する。
以下、本発明を明確に説明するため、次の定義をおく。
（ｉ）本発明の医療用安全装置において  「第一の状態」（第一の折り畳み位置）とは、例えば図１２に示したように、図２−３に示されているシールド部材３の延伸した第１・第２脚部（３１・３２）が、完全に折り畳まれた位置にある状態を意味する。換言すれば、第１・第２脚部（３１・３２）が完全に折り畳まれた状態であり、一方、針２１は下方に延伸し、輸液等の操作に供されるとき又は使用時の状態であり、さらに言えば、末端２３が保護（シールド）されていない状態を意味する。
（ｉｉ）同様に、「第二の状態」（第二の折り畳み位置）とは、例えば図１３、１９に示したように、シールド部材３の第１・第２脚部（３１・３２）が完全に伸長された位置にある状態を意味する。換言すれば、針の使用（穿刺）が終了し第１・第２脚部（３１・３２）が完全に伸張された状態で、針２１の末端２３が本医療用安全装置内に閉じこめられ、保護（シールド）されている状態を意味する。
（ｉｉｉ）「移行状態」とは、「第一の状態」から「第二の状態」へ移行する途中の状態を意味する。
（ｉｖ）  「移行開始状態」とは、「第一の状態」から「第二の状態」へ移行を開始する初期の状態を意味する。
（ｖ）「移行終了状態」とは、「第一の状態」から「第二の状態」へ移行を終了する間際の状態を意味する。
（ｖｉ）本発明で、「基端ＰＥ（側または方向）」とは、図１、図１２に示すように、針ハブ２２に接続するチューブＴ側の端部を意味する。
（ｖｉｉ）「末端ＤＥ（側または方向）」とは、図１、図１２に示すように、針２１を装着した側の端部を意味する。
（ｖｉｉｉ）「水平軸線ＨＬ（方向）」とは、図１、図１２に示すように、例えば管状の針ハブ２２の長手方向に延びる方向（図の破線参照）を意味する。
（ｉｉｘ）「垂直軸線ＶＬ（方向）」とは、図１、図１２に示すように、例えば針２１の曲った末端２３側が長手方向に垂下して延びる方向（図の破線参照）を意味する。
（ｉｘ）「第１側部Ｓ１（側または方向）」とは、図１、図１２に示すように、例えば翼３４の右側端部の方向（図の破線矢印参照）を意味する。
（ｘ）「第２側部Ｓ２（側または方向）」とは、図１、図１２に示すように、例えば翼３４の左側端部の方向（図の破線矢印参照）を意味する。
（ｘｉ）「上部Ｕ（側または方向）」とは、図１、図１２に示すように、例えば針２１の曲った末端２３側と反対方向（図の破線矢印参照）を意味する。
（ｘｉｉ）「下部Ｄ（側または方向）」とは、図１、図１２に示すように、例えば針２１の曲った末端２３側方向（図の破線矢印参照）を意味する。
【００２９】
本発明において、第一発明（または第一の実施態様）と第二発明（または第二の実施態様）とは共通の技術的思想により特徴づけられるものであり、その全体像を示す図１（第一発明（第一の実施態様））、図３６（第二発明（第二の実施態様））から把握されるように、シールド部材３、３´、固定部材５，５´からなり、基本的には同一であり、ただこれを接続する接続ハブ４０Ｈ、４０Ｈ´において、その一部の形状、または固定部材５、５´の構造の一部が異なるだけであり、実質的にその機能は同一である。
まず、第一発明（本発明の第一実施態様）について説明する。
［医療用針安全装置１］          
本発明の医療用針安全装置１（以下、単に「装置１」という場合がある。）について、以下、図面を参照しながら説明する。            
本発明の医療用針安全装置１は、図１に示すように、針部材２と、シールド部材３と、及び固定部材５とを有する。
針部材２、シールド部材３、及び固定部材５の形態と機能は、以下のとおりである。
【００３０】
［針部材２］
針部材２は、針２１と針ハブ２２を有する。
図１に例示するように、針２１は、針ハブ２２の一端に固定され、基端ＰＥ側から末端ＤＥ側へ向かう途中から、水平軸線ＨＬに対して、垂直軸線ＶＬ側に所定の角度（例えば、略９０度）で折れ曲がっている。
針２１は、下部Ｄに末端２３を有する。末端２３は下部Ｄ側に、鋭利な尖端を有する。
末端２３は、その穿刺工程が円滑、かつ、安定的に実施されるように、垂直軸線ＶＬに対して、若干の角度で、基端ＰＥ側へ向けて、わずかな所定の角度で折れ曲がっている。
針２１の基端ＰＥ側は、管状の針ハブ２２に装着（固定）している。
針２１の末端２３は、通常、患者に植設した薬液注入ポート（図示せず）に穿刺する。針ハブ２２の基端ＰＥ側に接続したチューブＴ（図１に破線で記載）より、末端２３を経由して患者の体に薬液を注入する。チューブＴは、通常、薬液バッグ等に接続され、当該バッグより薬液が供給される。
針２１は、患者に薬液を注入し終えた後は、薬液注入ポート（図示せず）より引き抜かれる。
【００３１】
［シールド部材３の概要］
シールド部材３とは、患者に薬液を注入し終えた後に、使用後の針２１を受け入れてその末端２３を露出しないように保護（シールド）する部材である。シールド部材３は、シールドハブ３５、脚部（３１・３２）、及びシールド部材接続ハブ４０Ｈ（以下、「接続ハブ４０Ｈ」と略記することがある。）を有する。シールドハブ３５は、針ハブ２２を固定する。
脚部（３１・３２）は、少なくとも二つ以上の脚部（３１・３２）より構成される。当該脚部（３１・３２）は中間ヒンジ３９により折り曲げ可能に接続されている。すなわち上半分を構成する第１脚部３１と下半分を構成する第２脚部３２とを、当該中間ヒンジ３９を介して、折り畳んだり、伸長することにより、第一の折り畳み位置から第二の伸長位置まで伸長できるように形成している。
シールド部材３における接続ハブ４０Ｈは、患者に薬液を注入し終えた後、この部分に針２１の末端２３を受け入れ、封じ込め、保護（シールド）するものである。
【００３２】
［固定部材５の概要］
固定部材５とは、例えば図１２に示す針使用時においては、シールド部材３を受け入れて固定するもので、より正確には、その接続ハブ４０Ｈとシールドハブ３５の両者を保持し、針使用後においては、例えば図１３に示すように、当該接続ハブ４０Ｈのみを保持する部材である。（シールドハブ３５は、固定部材５より解放されて脚部を延伸することにより上部に引き上げられ、これにより引き上げられた針先端部が、接続ハブ４０Ｈにより保持（保護）されることになる。）
すなわち、固定部材５は、まず、シールド部材３の接続ハブ４０Ｈを接続して固定する。
また固定部材５は、第１・第２脚部（３１・３２）が、第一の折り畳み位置（第一の状態）にあるときに、第１・第２脚部（３１・３２）、シールド部材３、及び針ハブ２２を収納する。
また固定部材５は、使用時（針穿刺時）患者の皮膚に固定する部材でもあり、そのため平らな接触面板５０を有する。
【００３３】
［シールド部材３の各部材の説明］
シールド部材３は、たとえば図２−３に示すように、シールドハブ３５と、シールド部材接続ハブ４０Ｈと、及び第１・第２脚部（３１・３２）とを有する。
シールドハブ３５は、相対的にシールド部材３の基端ＰＥ側に形成し、シールド部材接続部ハブ４０Ｈは相対的にその末端ＤＥ側に形成している。第１・第２脚部（３１・３２）は、基端ＰＥ側と末端ＤＥ側との間に形成している。
シールドハブ３５と接続ハブ４０Ｈは、図１等において示されているように、第１・第２脚部（３１・３２）を介して接続している。
【００３４】
［シールドハブ３５］
シールドハブ３５は、針ハブ２２を固定するためのハブである。シールドハブ３５は、針ハブ２２を受け入れる部材として機能する。
シールドハブ３５は、図１、図２、図３に例示するように、略管状（略円筒状ともいう場合がある）に形成している。
シールドハブ３５は、針ハブ２２を受け入れ、かつ、その状態で固定できる形状であれば、どのような形状でも良い。例えば略角筒状等が挙げられる。
シールドハブ３５は、末端ＤＥ側に、基端側ヒンジ３７を介して第１・第２脚部（３１・３２）を接続している。
シールドハブ３５は、第１側部Ｓ１と第２側部Ｓ２に、それぞれ翼３４、３４を接続している。翼３４、３４は、（シールドハブ３５が受け入れ固定化された）針２１を上部Ｕ方向にひきあげるときの取手として機能する。
翼３４、３４とシールドハブ３５は、図２、図３に例示するようにヒンジ３４Ｈを介して接続している。これにより、翼３４、３４の第１側部Ｓ１と第２側部Ｓ２を指でつかんで、翼３４、３４を上部Ｕ方向に折り曲げて、第１・第２脚部（３１・３２）を第一の折り畳み位置から第二の伸長位置まで伸長するときに針２１を上部Ｕ方向に引き上げることができる。
さらにいえば、図示されているように、第１側部Ｓ１と第２側部Ｓ２のそれぞれの翼３４、３４の上部Ｕには、（略矩形の）凸部と凹部（あえて符号は記載せず）を形成している。翼３４、３４を重ね合わせてこれらの凸部と凹部を係合させて、上部Ｕ方向に引き上げることができる。
【００３５】
［第１・第２脚部（３１・３２）］
第１・第２脚部（３１・３２）は、第一の折り畳み位置（第一の状態）から第二の伸長位置（第二の状態）まで伸長できるように形成している。
第１・第２脚部（３１・３２）は、第一の折り畳み位置から第二の伸長位置に伸長するときに、図１２−１３に示すように、シールド部材の接続ハブ４０Ｈの摺動部材４２と、針２１が連動して動く。第１・第２脚部（３１・３２）は摺動部材４２と針２１のいわゆる「引き綱」のような機能を有する。
第１・第２脚部（３１・３２）が、第二の伸長位置まで伸長し終えたときに、針２１の末端２３と、摺動部材４２の末端側壁４３ＤＷ（図２２参照。）は、図２０に示すように、接続ハブ４０Ｈの空間４０Ｓ内に引き込まれる（収納される。）。
第１・第２脚部（３１・３２）は、図１、図１３に、例示するように、二つの部材を折り畳んだ形態から伸長できる形態に形成している。
第１脚部３１は、相対的に、シールド部材３の基端ＰＥ側に配置している。第２脚部３２は、相対的にその末端ＤＥ側に配置している。
第１・第２脚部（３１・３２）は、それぞれ第１側部Ｓ１側と第２側部Ｓ２側とで、対で形成している。
第１脚部３１、３１は、基端側ヒンジ３７を介して、シールドハブ３５の末端ＤＥ側と接続している。
第２脚部３２、３２は、末端側ヒンジ３８を介して、接続ハブ４０Ｈの上部接続部４１の上部Ｕ側と接続している。
第１脚部３１と第２脚部３２は、上記したように、中間ヒンジ３９を介して接続している。
【００３６】
以上の本発明の説明で、「脚部」は、「第１・第２脚部（３１・３２）」と記載し、二つの部材を使用して、これらを折り畳んだ形態から伸張できる形態について例示したが、二つ以上の部材を折り畳んだ形態から伸張できる形態にしてもよい。
要するに、「第一の状態」（脚部が完全に折り畳まれた位置にある状態、換言すれば、脚部が完全に折り畳まれた状態で、針２１の末端２３が保護（シールド）されていない状態、例えば、図１２等参照）から「第二の状態」（脚部が完全に伸長された位置にある状態、換言すれば、脚部が完全に伸張された状態で、針２１の末端２３が保護（シールド）されている状態、例えば、図１３、図１９等参照）にできる形態（形状、構造、材料）に形成できればよい。
【００３７】
［シールド部材の接続ハブ４０Ｈ（各部材の説明）］
当該接続ハブ４０Ｈは、固定部材５の固定部材接続ハブ５０Ｈ（以下、「接続ハブ５０Ｈ」と略記することがある。）と接続する部材である。
当該接続ハブ４０Ｈは、脚部［第１・第２脚部（３１・３２）］が、たとえば図１３に示すように、完全に伸長された状態で、図５に示すように、空間４０Ｓ内に針２１の末端２３と、後述する摺動部材４２の末端側壁４３ＤＷを引き込み、針２１の末端２３を保護（シールド）する部材である。
シールド部材の接続ハブ４０Ｈは、図４、図５、図６に例示するように、摺動部材４２、シールド部材第１係止部４８（以下、「第１係止部４８」と略記することがある。）、シールド部材第２係止部４６（以下、「第２係止部４６」と略記することがある。）、及びシールド部材第３係止部４７（以下、「第３係止部４７」と略記することがある。）を有する。
シールド部材の接続ハブ４０Ｈは、基端ＰＥ側に、摺動部材４２を形成し、末端ＤＥ側に、その第１係止部４８を形成している。
また接続ハブ４０Ｈは、図４に示すように、第１側部Ｓ１側と第２側部Ｓ２側にそれぞれ、当該第２係止部４６と第３係止部４７を形成（突設）している。
当該第２係止部４６は、上部接続部４１と当該第３係止部４７との間に形成している。換言すれば、第２係止部４６は、上部接続部４１の下部Ｄで、第３係止部４７の上部Ｕに形成している。摺動部材４２、及びその第１係止部４８及び第３係止部４７は、水平軸線ＨＬ方向に見て実質的に略同じ高さの位置に形成している。
【００３８】
シールド部材３の接続ハブ４０Ｈは、図２、図３、図５に例示するように、略中央部に、空間４０Ｓを形成し、図４、図６に例示するように、下部Ｄに開口部４０Ｏを形成している。
空間４０Ｓと開口部４０Ｏは、針２１と末端２３の通路として機能する。空間４０Ｓは、当該接続ハブ４０Ｈの上部Ｕから下部Ｄにわたって貫通している。
空間４０Ｓは、少なくとも針２１の末端２３（ないし末端２３の一部）と、摺動部材４２の末端側壁４３ＤＷ（図２２参照。）（ないし末端側壁４３ＤＷの一部、少なくとも空間４０Ｓの断面を遮断する部分）とを収容することができる大きさ（容積）に形成している。
【００３９】
また当該接続ハブ４０Ｈは、上部Ｕに、上部接続部４１を形成している。上部接続部４１は、図４に例示するように略板状（鍔状ともいう）の形態を有している。
上部接続部４１は、末端側ヒンジ３８（図１、図２、図５等を参照。）を介して第１・第２脚部（３１・３２）と接続している。
これにより第１・第２脚部（３１・３２）が第一の折り畳み位置から第二の伸長位置まで伸長するときに、シールド部材の接続ハブ４０Ｈの摺動部材４２は、第１・第２脚部（３１・３２）と連動して、後記するようにヒンジ４４を介して、いわば「スイング」して、基端ＰＥ側から末端ＤＥ側に変位する。
【００４０】
［（第一）摺動部材４２］
摺動部材４２は、基本的に、図５に示されているように、末端側壁４３ＤＷ、摺動壁４５（傾斜壁４５ともいう）、下部壁４２Ｂ及び溝４３を有する部材である。第一発明の摺動部材４２は、第一摺動部材４２という場合がある。
当該摺動部材４２は、図５に示されているように、ヒンジ４４を介して接続ハブ４０Ｈに接続しているので、当該ヒンジを起点として基端ＰＥ側から末端ＤＥ側への変位（スイング）することができる。
この動作をより詳しく説明するに、ヒンジ４４で接続ハブ４０Ｈに接続された摺動部材４２は、第１・第２脚部（３１・３２）が第一の折り畳み位置から第二の伸長位置まで伸長するときに、これらと連動して動く。
すなわち、摺動部材４２は、第１・第２脚部（３１・３２）が第一の折り畳み位置から第二の伸長位置まで伸長するときに、ヒンジ４４を起点（ないし中心）として、図１５の位置（第一の位置）から図２０の位置（第二の位置）まで、「スイング」して、接続ハブ４０Ｈの空間４０Ｓの断面を遮断するように変位する。
【００４１】
さらにいえば、摺動部材４２の「第一の位置」とは、末端側壁４３ＤＷが、図１５の位置にあり接続ハブ４０Ｈの空間４０Ｓの断面を遮断していない位置を意味する。
さらに下部壁４２Ｂが接続ハブ４０Ｈの開口部４０Ｏ（図４、図６等参照。）（ないし開口部４０Ｏ近傍）の断面を遮断していない位置を意味する。
一方、摺動部材４２の「第二の位置」とは、末端側壁４３ＤＷが、図２０に示した位置にあり、接続ハブ４０Ｈの空間４０Ｓの断面を遮断している位置を意味する。さらに下部壁４２Ｂが接続ハブ４０Ｈの開口部４０Ｏ（ないし開口部４０Ｏ近傍）の断面を遮断している位置を意味する。
摺動部材４２は、上記したように、末端側壁４３ＤＷ、摺動壁４５（傾斜壁４５ともいう）、下部壁４２Ｂ及び溝４３を有する。
摺動部材４２は、より詳しくはその形状において、末端側壁４３ＤＷと下部壁４２Ｂにより、第１側部Ｓ１（または第２側部Ｓ２）方向からみて、略Ｌ字状に形成している。
【００４２】
さらに略Ｌ字の第１側部Ｓ１方向と第２側部Ｓ２方向に、摺動壁４５として、たとえば図５−６に示すように、傾斜した壁からなる「傾斜壁４５」を一対形成している。
組み立て後の第一の状態［摺動部材４２の「第一の位置］のときは、図１５に例示するように、摺動壁（傾斜壁）４５は、垂直軸線ＶＬに対して、略平行になっている。下部壁４２Ｂは、水平軸線ＨＬに対して、略平行になっている。
組み立て後の第二の状態［摺動部材４２の「第二の位置」］のときは、図２０に例示するように、摺動壁４５は、垂直軸線ＶＬに対して、鋭角に交わるように、角度αをもって配置される。換言すれば、基端ＰＥ側から末端ＤＥ側へ下るように傾斜して配置されている。下部壁４２Ｂは、水平軸線ＨＬに対して、鋭角に交わるように、角度βをもって配置される。換言すれば、基端ＰＥ側から末端ＤＥ側へ登るように傾斜して配置されている。
図２０に示されているように、末端側壁４３ＤＷは、第１・第２脚部（３１・３２）が、第一の折り畳み位置から第二の伸長位置まで伸長するときに、これらと連動して接続ハブ４０Ｈの空間４０Ｓ内に引き込まれ、空間４０Ｓの断面を遮断する。下部壁４２Ｂもこれらと連動して接続ハブ４０Ｈの開口部４０Ｏ（ないし開口部４０Ｏ近傍）の断面を遮断する。
【００４３】
［摺動壁４５（傾斜壁４５）］
摺動壁４５は、固定部材５の接続ハブ５０Ｈの摺動壁６０（傾斜壁６０ともいう）（図１０を参照。）に当接する部材である。
以下、摺動壁４５として、「傾斜壁４５」を使用する場合について説明する。
傾斜壁４５は、第１側Ｓ１側と第２側部Ｓ２側に、それぞれ対向して形成している。（一対形成している。）
傾斜壁４５は、基端ＰＥ側から末端ＤＥ側へ登る傾斜面を有する。傾斜面は、途中に段部を形成している。
傾斜壁４５の傾斜面は、第１・第２脚部（３１・３２）が、第一の折り畳み位置から第二の伸長位置まで伸長するときに、これらと連動して、固定部材５の接続ハブ５０Ｈの傾斜壁６０の傾斜面と接触した状態で、基端ＰＥ側から末端ＤＥ側に動く。（いわば摺動する。）これにより末端側壁４３ＤＷが、シールド部材の接続ハブ４０Ｈの空間４０Ｓ内に引き込まれるのを促進する。下部壁４２Ｂが接続ハブ４０Ｈの開口部４０Ｏ（ないし開口部４０Ｏ近傍）の断面を遮断するのを促進する。
また摺動部材４２は、後述する固定部材５の第３係止部５８と係止する部材である。
摺動部材４２は、二つの傾斜壁４５の間に、溝４３を形成している。溝４３は、後述する固定部材５の接続ハブ５０Ｈの第３係止部５８を係止する溝として機能する。
溝４３は、第３係止部５８との係止により、接続ハブ４０Ｈが、固定部材５の接続ハブ５０Ｈから引き抜けるのを防いでいる。
【００４４】
摺動部材４２は、第一の状態［第１・第２脚部（３１・３２）が図１５に示すように第一の折り畳み位置］にあるときでは、摺動部材４２の末端側壁４３ＤＷは、接続ハブ４０Ｈの空間４０Ｓの断面を遮断していない。下部壁４２Ｂは、接続ハブ４０Ｈの開口部４０Ｏ（ないし開口部４０Ｏ近傍）の断面を遮断していない。（したがって、針２１は、開口部４０Ｏより下部に突出する。）
第一の状態では、針２１は接続ハブ４０Ｈの空間４０Ｓ内に挿入され、これを貫通してより下方に延伸している。（図１５、１７、１８参照）
第二の状態［第１・第２脚部（３１・３２）が第二の伸長位置］になるときは、図２０に示すように、摺動部材４２の末端側壁４３ＤＷが、接続ハブ４０Ｈの空間４０Ｓ内に引きこまれる。
これにより、摺動部材４２の末端側壁４３ＤＷが、接続ハブ４０Ｈの空間４０Ｓの断面を遮断して、さらに下部壁４２Ｂが接続ハブ４０Ｈの開口部４０Ｏ（ないし開口部４０Ｏ近傍）の断面を遮断して、針２１の末端２３が、摺動部材４２の末端側壁４３ＤＷよりも下部Ｄに移動するのを阻止する。
これにより針２１の末端２３が、接続部ハブ４０Ｈの開口部４０Ｏより、露出するのを防ぐことができる。（図２０参照）
【００４５】
［シールド部材３の第１係止部４８、第２係止部４６、及び第３係止部４７］
以下、シールド部材３の接続ハブ４０Ｈと固定部材５との係止について説明する。
固定部材５は、図１３に示すように、シールド部材３にその接続ハブ４０Ｈを介して、接続されている。この状態において、シールド部材３の（接続ハブ４０Ｈの）第１係止部４８、第２係止部４６、及び第３係止部４７は、第１・第２脚部（３１・３２）が、第一の折り畳み位置から第二の伸長位置まで伸長する時に、当該接続ハブ４０Ｈが、固定部材５の接続ハブ５０Ｈから引き抜けないように機能する部材である。
【００４６】
シールド部材３の接続ハブ４０Ｈの第１係止部４８は、図４に例示するように、いわゆる「突出」状で、略台形状の形態を有している。（略台形状に突出した形態）
当該第１係止部４８は、第１・第２脚部（３１・３２）が、第一の折り畳み位置（図１７）から第二の伸長位置まで伸長するときに、これらと連動して上部Ｕ方向に引き上げられ、固定部材５のカバー５１の壁面５１Ｗの下部Ｄに係止される（図２２参照）。これにより、シールド部材３の接続ハブ４０Ｈが、固定部材５の接続ハブ５０Ｈから引き抜かれるのを防ぐことができる。（「第二の状態」）（図２２参照。）
【００４７】
シールド部材３の接続ハブ４０Ｈの第２係止部４６は、図４に例示するように、いわゆる「（鍵）爪」状の形態を有している。接続ハブ４０Ｈの中心から第１側部Ｓ１方向、第２側部Ｓ２方向に向けて、下部Ｄ方向に傾斜して形成（突設）している。（４６、４６と一対形成している。）
当該一対の第２係止部４６は、第１・第２脚部（３１・３２）が、第一の折り畳み位置から第二の伸長位置まで伸長するときに、図２１に示したように、これらと連動して上部Ｕ方向に移動し、固定部材５の接続ハブ５０Ｈの第１上壁６１（図７、図９参照）を乗り越えて、上壁６１の上部（天面）に係止される。このようにして、第２係止部４６は、いわゆる「戻り防止の爪」として機能する。（図２１参照。）
さらにいえば、当該第２係止部４６は、第一の状態から第二の状態に移行する時、当該シールド部材３の接続ハブ４０Ｈの第２係止部４６が、第１上壁６１を乗り越える際に、第１上壁６１を乗り越えた感触が作業者に伝わり、針２１の末端２３が接続ハブ４０Ｈ内に引き込まれて保護（シールド）された状態、いわゆる誤刺防止完了の合図を示す機能を有する。
【００４８】
一方、シールド部材３の接続ハブ４０Ｈの第３係止部４７は、図４に例示するように、いわゆる「鍔（フランジ）」状の形態を有している。（４７、４７と一対形成している。）
当該第３係止部４７は、第１・第２脚部（３１・３２）が、第一の折り畳み位置から第二の伸長位置まで伸長し終えた後、図２１に示すように、上壁６１の下部（底面）に係止される。すなわち、第３係止部４７は、上部がいわゆる「抜け（引き抜き）防止のストッパー」として機能する。
以上のようにして、シールド部材３において、台形状の第１係止部４８、一対の爪状の第２係止部４６及びフランジ状の第３係止部４７は、シールド部材３が固定部材５の接続ハブ５０Ｈから引き抜けないようにし、例えば図１３に示した「第二の状態」を維持する。
【００４９】
［固定部材５］
固定部材５は、たとえば図７に例示するように、大略的にシールド部材３と接続される部位である接続ハブ５０Ｈと患者（の体の外表面）に固定される平らな接触面板５０とを有する。
接続ハブ５０Ｈは、シールド部材３の接続ハブ４０Ｈと接続する部材である。
接続ハブ５０Ｈは、以下の形状、構造を有する。
図７に例示するように、接続ハブ５０Ｈは、複数の壁（第１側壁５２、中壁５７、第２側壁６３）を有し、かつ末端ＤＥ側にカバー５１を接続している。
【００５０】
接続ハブ５０Ｈは、末端ＤＥ側の第１側部Ｓ１と第２側部Ｓ２側にそれぞれ、患者に固定される平らな接触面板５０、５０を、例えば一体成形等により接続している。
当該カバー５１の壁５１Ｗと、上記した複数の壁（５２、５７、６３）とにより、図７に示すように、シールド部材３を受け入れるための空間（５３、５９）を形成している。
これらの空間（５３、５９）は、さらに具体的には第１空間５３と、第２空間５９に区画される。
固定部材５における当該第１空間５３は、上開口部５０ＯＵ（図１０参照）と下開口部５０ＯＤ（図１８参照）を有する。上開口部５０ＯＵと下開口部５０ＯＤは、図７に示すように貫通している。（この上開口部５０ＯＵと下開口部５０ＯＤは図１８に示すように、針２１の下方への延伸を許容(allow)する。）
【００５１】
［カバー５１及び第１係止部］
固定部材５のカバー５１は、シールド部材３の接続ハブ４０Ｈを、固定部材５の接続ハブ５０Ｈに固定する部材である。
カバー５１は、図７に例示するような形態（形状、構造）を有する。
カバー５１は、図７に示すように、略板（矩形）状の壁５１Ｗを有し、固定部材５の接続ハブ５０Ｈの末端ＤＥ側から基端ＰＥ側方向に向けて第１係止部５５を突設している。
カバー５１の下部Ｄは、ヒンジ５４を介して、固定部材の接続ハブ５０Ｈの末端ＤＥ側に接続している。
カバー５１は、図７〜図１１に例示するように、ヒンジ５４を介して、基端ＰＥ側に略９０ー回動して、固定部材５の第１係止部５５（以下、「第１係止部５５」と略記することがある。）と（後述する）固定部材第２係止部５６（以下、「第２係止部５６」と略記することがある。）とが、図１１に示すように係合できるように形成している。
固定部材５の第１係止部５５は、いわゆる「楔状」の形状を有し、図７〜１１に例示するように、カバー５１の末端ＤＥ側から基端ＰＥ側方向に向けて一対突設している。
さらに固定部材５の第１係止部５５は、第１側壁５２の内側に形成している第２係止部５６と係止できるように、上記したようにいわゆる「楔状」に形状している。
【００５２】
図７に示した第１空間５３は、シールド部材３の接続ハブ４０Ｈを収納し、固定するためのものである。
一方、第２空間５９は、シールド部材３のシールドハブ３５、第一の折り畳み位置における第１・第２脚部（３１・３２）、翼３４を収納（より正確にはその上に載置）するためのものである。
【００５３】
［第１側壁５２］
第１側壁５２は、固定部材５における接続ハブ５０Ｈを、中壁５７、第２側壁６３とともに、第１空間５３と第２空間５９に区画する壁である（第１側壁５２は長尺方向、中壁５７及び第２側壁は短尺方向を区画する。）。
長尺方向の当該第１側壁５２は、水平軸線ＨＬの長さ方向に、互いに対向して一組形成（延設）している。（すなわち一対形成している。）さらに具体的にいえば、第１側部Ｓ１側と第２側部Ｓ２側に、それぞれ一対の第１側壁５２、５２を形成している。
この一対の第１側壁５２、５２は、これに連接して基端ＰＥ側に第２側壁６３を形成している。
さらに図７に示すように、当該一対の第１側壁５２、５２は、それぞれの対向する壁に、対向するように一対の第２係止部５６を形成（突設）している。
第２係止部５６は、第１係止部５５と係止（係合）できるように、図７のごとくいわゆる「楔状」に形状している。
【００５４】
［中壁５７］
中壁５７は、固定部材５の接続ハブ５０Ｈを、長手方向に伸びる一対の第１側壁５２、５２とともに、第１空間５３と第２空間５９に区画する壁である。
当該中壁５７は、一対の第１側壁５２、５２の間に、第１側部Ｓ１側から第２側部Ｓ２側にわたって形成している。
さらにいえば、当該中壁５７は、一対の第１側壁５２、５２の途中（略中央位置）から第１側部Ｓ１から第２側部Ｓ２方向に形成（突設）している。
中壁５７は、末端ＤＥ側に固定部材５の第３係止部５８（以下、「第１係止部５８」と略記することがある。）を突設し、図１０に示すように基端ＰＥ側に傾斜壁６０を形成（突設）している。
【００５５】
当該第３係止部５８は、シールド部材３の接続ハブ４０Ｈの摺動部材４２の溝４３に係止する部材である。当該第３係止部５８は、接続ハブ４０Ｈの溝４３と係止することにより、当該接続ハブ４０Ｈが、固定部材５の接続ハブ５０Ｈから引き抜けるのを防いでいる。
第３係止部５８は、いわゆる「リブ」状に形成している。当該リブ状の第３係止部５８は、摺動部材４２の溝４３に貫入しこれに嵌合することにより、摺動部材４２の溝４３に係止でき、シールド部材３の接続ハブ４０Ｈが、固定部材５の接続ハブ５０Ｈから引き抜けるのを防ぐことができれば、どのように形成してもよい。
【００５６】
［摺動壁６０（傾斜壁６０）］
摺動壁６０（以下、傾斜壁６０という場合がある）は、シールド部材３の接続ハブ４０Ｈの摺動部材４２の傾斜壁４５の傾斜面に当接する部材である。傾斜壁６０は、基端ＰＤ側に下る傾斜面を有する。当該傾斜面は、階段状に複数の段部を形成している。（図１０、図１５、図１７等参照）
傾斜壁６０は、第１・第２脚部（３１・３２）が、第一の折り畳み位置から第二の伸長位置まで伸長するときに、これらと連動して、（シールド部材３の接続ハブ４０Ｈの摺動部材４２の傾斜壁４５）が傾斜壁６０に接触した状態で、基端ＰＥ側から末端ＤＥ側に動く。（いわゆる摺動する。）
これにより接続ハブ４０Ｈの摺動部材４２の末端側壁４３ＤＷが、接続ハブ４０Ｈの空間４０Ｓ内に引き込まれるのを促進する。
【００５７】
［第２側壁６３］
第２側壁６３は、固定部材５の接続ハブ５０Ｈを、中壁５７、一対の第１側壁５２、５２とともに、第１空間５３と第２空間５９に区画する壁である。
【００５８】
［第１上壁６１］
図７−９等に示す第１上壁６１、第１・第２脚部（３１・３２）が、第一の折り畳み位置にあるときは、接続ハブ４０Ｈの第２係止部４６が、この第１上壁６１と図１６に示すように、係合し上部Ｕ方向に移動するのを阻止する。
第１・第２脚部（３１・３２）が、第一の折り畳み位置から第二の伸長位置まで伸長し終えたときは、シールド部材３の接続ハブ４０Ｈの第２係止部４６が、固定部材５の第１上壁６１の上部（天面）に係止されて、戻り防止の爪となる（図２１参照。）。さらにシールド部材の接続ハブ４０Ｈの第３係止部４７の上部が第１上壁６１の下部（底面）に係止され、ストッパーとなり、シールド部材３の接続ハブ４０Ｈが、固定部材５の接続ハブ５０Ｈから引き抜けるのを防止する。
【００５９】
［第２上壁６２］
図７−９等に示す第２上壁６２は、第１・第２脚部（３１・３２）が、第一の折り畳み位置にあるときは、第１・第２脚部３１・３２、（針カバーを保持した）シールドハブ３５、及び翼３４を上に載せるためのもので、安定的に載置し易いように、図１０に示すように湾曲面６３Ｃを形成している。
【００６０】
［第一の状態への組み立て：シールド部材３と固定部材５との組み立て]
以下、シールド部材３をその接続ハブ４０Ｈを介して固定部材５と接続し、また、シールド部材３のシールドハブ３５等を固定部材５に載置して組み立てる（第一の状態とする）過程を説明する。
〈１〉図１に示すように、針ハブ２２を、シールド部材３のシールドハブ３５（の円筒形状空隙部３５Ｓ）に差し込んで固定する。
〈２〉シールド部材３の接続ハブ４０Ｈの部分を、固定部材５の接続ハブ５０Ｈの第１空間５３内に上部から差し込んで接続する。
〈３〉固定部材５のカバー５１を基端ＰＥ側に、略９０ー回動させて閉じる。
この時、カバー５１の固定部材の第１係止部５５と第１側壁５２の第２係止部５６が係合する。（これにより、カバー５１は閉じた状態で固定される。）
図１５または図１７に示すように、接続ハブ４０Ｈの第１係止部４８は、末端ＤＥ側の壁面が、カバー５１の対応する内側壁面に当接される。一方、カバー５１の基端ＰＥ側の壁は、接続ハブ４０Ｈの末端ＤＥ側の壁に当接される。
中壁５７の第３係止部５８は、上記したように摺動部材４２の溝４３に係止され、シールド部材３の接続ハブ４０Ｈが固定部材５の接続ハブ５０Ｈから引き抜けるのを防止するストッパーとして機能する。
また摺動部材４２の傾斜壁４５の傾斜面は、図１５に示すように、固定部材５の傾斜壁６０の下部Ｄ側の傾斜面に当接する。
【００６１】
〈４〉シールド部材３の第１・第２脚部（３１・３２）を折りたたみ、針２１を末端２３側から、接続ハブ４０Ｈの空間４０Ｓに差し込む。
〈５〉第１・第２脚部（３１・３２）は、図１２や１５に例示するように折りたたんで、シールドハブ３５の下部とともに、図７に示す第２空間５９内に収納する。［すなわち、空間５９の上に載置する。第１・第２脚部（３１・３２）は、第２空間５９の上部の位置に載置される。］
シールド部材３の一対の第２係止部４６は、図１６に示すように、固定部材５の第１上壁６１の下部に係止する。
〈６〉針２１の末端２３側に、図１に示すように、針カバー６を装着し、保護する。
【００６２】
［針２１の末端２３の保護（シールド）]
〈１〉「移行開始状態」（図１５）
針部材２１を、垂直軸線ＶＬの上部Ｕ側に持ち上げると、第１・第２脚部（３１・３２）がこれに連動して、垂直軸線ＶＬの上部Ｕ側に伸長を開始する。
さらにこれらに連動して、摺動部材４２の傾斜壁４５の傾斜面が、固定部材５の接続ハブ５０Ｈの傾斜壁６０の下部Ｄ側の傾斜面にそって、末端ＤＥ側に移動を開始する。（いわゆる「摺動」を開始する。）シールド部材３の一対の第２係止部４６も上部Ｕ方向への移動を開始する（図１６）。
【００６３】
〈２〉「移行終了状態」
第１・第２脚部（３１・３２）は、垂直軸線ＶＬの上部Ｕ側に伸びきろうとする。
シールド部材３の接続ハブ４０Ｈの一対の第２係止部４６は、当該固定部材５の上部開口部５０ＯＵを経て、その固定部材５の第１上壁６１を乗り越えようとする。
当該摺動部材４２の末端側壁４３ＤＷは、接続ハブ４０Ｈの空間４０Ｓに引き込まれ、空間４０Ｓの断面を閉じ、遮断するように変位する。
〈３〉（第二の状態）（図１９）
第１・第２脚部（３１・３２）は、垂直軸線ＶＬの上部Ｕ側に完全に伸びきる。
シールド部材３の一対の第２係止部４６は、固定部材５の第１上壁６１の上部（天面）に係止される（図２１参照。）。当該第２係止部４６は、戻り防止の爪となる。またシールド部材３の一対の第３係止部４７は、上部が第１上壁６１の下部（底面）に係止され、ストッパーとなり、シールド部材３の接続ハブ４０Ｈが、固定部材５の接続ハブ５０Ｈから引き抜けるのを防ぐことができる。（図２１参照）
シールド部材３の接続ハブ４０Ｈの空間４０Ｓの断面は、摺動部材４２の末端側壁４３ＤＷにより遮断される。さらに接続ハブ４０Ｈの開口部４０Ｏ（ないし開口部４０Ｏ近傍）の断面は、下部壁４２Ｂにより遮断される（図２０）。
針２１の末端２３は、空間４０Ｓ内に収納され、保護（シールド）される。このため針２１の末端２３は、末端側壁４３ＤＷよりも下部Ｕに移動して、外部に露出するのを妨げられる。（図２２、図２３参照）
【００６４】
さらに、患者への取付け、薬液の注入、患者からの取外しと廃棄までの使用例について説明する。
［患者への取り付け、薬液の注入]
〈１〉第一の状態（折り畳まれた状態）において針先には針カバー６（図１）が取りけられ保護されている。使用に際しては、針カバー６を、取り外して、針２１の末端２３を露出する。
〈２〉垂直軸線ＶＬの下部Ｄ方向に垂下して、患者に埋め込まれたポート（図示せず）へ針２１の末端２３を穿刺する。固定部材５の平らな接触面板５０を、テープ等で患者の体の表面に固定する。
〈３〉抗癌剤等を含んだ薬液等を、針ハブ２２の基端ＰＥ側に接続された薬液注入チューブＴから薬液等を、針２１の末端２３、ポート（図示せず）を経由して、注入する。このように第一の状態で輸液等が行われる。（すなわち、図１２等に示す折りたたまれた第一の状態とは、例えば輸液等が行われる状態である。）
【００６５】
［患者からの取外しと廃棄まで］
薬液の注入が終了したら、作業者（医師、看護師等）は、一方の手を患者の皮膚に当て、もう一方の手で一対の翼部３４を、つかんで上部Ｕに持ち上げる（図１４）。
これにより、ポート（図示せず）から針２１の末端２３が引き出され、第１・第２脚部（３１・３２）を伸長させる。第１・第２脚部（３１・３２）が伸長中、針２１の末端２３は、シールド部材の接続ハブ４０Ｈの空間４０Ｓ内に引き込まれ、さらに当該接続ハブ４０Ｈの末端側壁４３ＤＷが、接続ハブ４０Ｈの空間４０Ｓの断面を遮断するように変位する。
これにより、接続ハブ４０Ｈの末端側壁４３ＤＷは、針２１の末端２３が、末端側壁４３ＤＷよりも再び下部Ｄ方向に移動するのを防ぐことができる。
第１・第２脚部（３１・３２）が完全に伸長すると、針安全装置１は、定位置に固定され、針２１の末端２３は、接続ハブ４０Ｈによって完全に保護（シールド）することができる。
作業者（医師・看護師等）は、偶発的な針の露出による針刺事故を心配せずに針２１を処分することができる。
【００６６】
［本発明のその他の実施例］
本発明（第一発明（第一の実施態様））の医療用安全装置１は、以上の説明と図１〜図２３及び第５０−５１、図５４−５５に記載した形態に限定されない。次にごとき実施例のような形態も本発明の技術的範囲に含まれるものである。以下その他の実施例について各部位（部材）ごとに詳細に説明する。
すなわち、脚部（３１・３２）が第一の折り畳み位置から第二の伸長位置まで伸長したときは、摺動部材４２の少なくとも末端側壁４３ＤＷ（ないし末端側壁４３ＤＷの一部）が）、接続ハブ４０Ｈの空間４０Ｓ内に引きこまれ、これにより摺動部材４２の末端側壁４３ＤＷ（ないし末端側壁４３ＤＷの一部）が、シールド部材接続ハブ４０Ｈの空間４０Ｓの断面を遮断することができ、これにより、針２１の末端２３が、摺動部材４２の壁４３ＤＷよりも下部Ｄに移動するのを阻止し、針２１の末端２３が外部に露出するのを防ぐことができるものであればよい。
【００６７】
［脚部（３１・３２）］
脚部（３１・３２）は、第一の折り畳み位置から第二の伸長位置まで伸長でき、第二の伸長位置にあるときに、接続ハブ４０Ｈ内に、針２１の末端２３、シールド部材３の摺動部材４２の末端側壁４３ＤＷを、引き込んで、保護（シールド）できる形態であればよい。
図１〜図３の例示では、脚部（３１・３２として）いわゆる「略板状」のものが記載されているが、上記機能が奏されるものであれば任意の形状でよく、いわゆる「紐状、棒状、帯状、鎖状」等のものでも良い。
【００６８】
［シールドハブ３５］
シールドハブ３５は、針ハブ２２を固定でき、脚部（３１・３２）が第一の折り畳み位置から第二の伸長位置まで伸長するときに、脚部（３１・３２）と連動して、針２１を上部Ｕ方向に引き上げることができる形態であればよい。
【００６９】
［シールド部材の接続ハブ４０Ｈ］
図２〜図３の例示では、接続ハブ４０Ｈの中央部はいわゆる「角筒状」（横断面が矩形状）に形成されているが、これに限られるものではなく、横断面円筒状、横断面楕円筒状等、針２１の末端２３、摺動部材４２の末端壁４３ＤＷを、引き込んで、保護（シールド）できる空間４０Ｓを有する形態であればよい。
また、前記した摺動部材４２、シールド部材３の第１係止部４８、第２係止部４６及び第３係止部４７を有するものであればよい。さらに言えば、それぞれの部位又は部材の機能を奏するものであればよい。
摺動部材４２の末端壁４３ＤＷは、図２０の例示では、空間４０Ｓの断面を、斜め位置で遮断しているが、水平位置で遮断できるようにすることもできる。
脚部（３１・３２）の第二の伸長位置における、摺動部材４２の末端壁４３ＤＷの姿勢は、斜め位置でもよいし水平位置でもよい。
摺動部材４２の下部壁４２Ｂは、図２０の例示では、接続ハブ４０Ｈの下部の開口部４０Ｏ（ないし開口部４０Ｏ近傍）の断面を斜め位置で遮断しているが、水平位置で遮断できるようにすることもできる。
脚部（３１・３２）の第二の伸長位置における、下部壁４２Ｂの姿勢は、斜め位置でもよいし水平位置でもよい。
【００７０】
［摺動部材４２］
摺動部材４２は、図５〜６の例示では、いわゆる「略Ｌ字状」に形成されているが、脚部（３１・３２）が第一の折り畳み位置から第二の伸長位置まで伸長するときに、これと連動することができ、かつ、シールド部材の接続ハブ４０Ｈの空間４０Ｓを遮断できるいわゆる「壁」（又は壁部）を有するものであればよい。
また摺動部材４２は、図５〜６に例示したように「傾斜壁４５」（又は「摺動壁４５」とも称される。）により、脚部（３１・３２）が第一の折り畳み位置から第二の伸長位置まで伸長するときに、いわゆる「摺動」できるようにしたものである。（より具体的には、固定部材５の摺動壁（傾斜壁）６０と図１５−２０に示されているように、当接した状態で摺動する。）
このように「摺動」できる形態であればいかなるものでもよい。例えば「傾斜壁４５」に代えて、「湾曲壁」等に形成することもできる。この場合、これに呼応（対応）して、固定部材５の接続ハブ５０Ｈも「傾斜壁６０」に代えて、「湾曲壁」等に形成してもよい。これらの「湾曲壁」も「摺動壁」に含まれる。
【００７１】
また摺動部材４２は、図５〜６の例示したように「溝４３」に、固定部材５の接続ハブ５０Ｈの第３係止部５８を係止して、シールド部材の接続ハブ４０Ｈが、固定部材５の接続ハブ５０Ｈから引き抜けないように形成したものであり、接続ハブ５０Ｈから引き抜けない形態であればよい。
例えば、「溝４３」に代えて、「リブ」を形成してもよい。これに呼応（対応）して、固定部材５の接続ハブ５０Ｈは、第３係止部５８（リブ）に代えて、「溝」に形成し、（当該溝中にリブが貫入、係止するように）してもよい。
【００７２】
［シールド部材３（接続ハブ４０Ｈ）の第１係止部４８、第２係止部４６、及び第３係止部４７］
シールド部材の第１係止部４８、第２係止部４６、及び第３係止部４７は、前記したように第１・第２脚部（３１・３２）が、第一の折り畳み位置から第二の伸長位置まで伸長する時に、接続ハブ４０Ｈが、固定部材５の接続ハブ５０Ｈから引き抜けないように機能する形態であればよい。
当該第１係止部４８は、図４に例示したよう、いわゆる「突」状（略台形状）のものに代えて、いわゆる「（鍵）爪」状、「鍔（フランジ）」状とすることができる。
また第２係止部４６は、図４に例示するような、いわゆる「（鍵）爪」状のものに代えて、いわゆる「鍔（フランジ）」状、「突」状とすることができる。
さらに第３係止部４７は、図４に例示するような、いわゆる「鍔（フランジ）」状のものに代えて、「（鍵）爪」状、「突」状とすることができる。
【００７３】
［固定部材５の接続ハブ５０Ｈ］
固定部材の接続ハブ５０Ｈは、前記したように、シールド部材３の接続ハブ４０Ｈが引き抜けないように機能する形態であればよい。
より具体的には、第１空間５３は、接続ハブ４０Ｈを収納し、固定できる形態であればよい。
第２空間５９は、シールド部材３の円筒状のシールドハブ３５、第一の折り畳み位置の第１・第２脚部（３１・３２）、及び翼３４を収納（上に載せる）できる形態であればよい。
第１側壁５２、中壁５７、第２側壁６３は、前記したように、接続ハブ５０Ｈを第１空間５３と第２空間５９に区画できる形態であればよい。
カバー５１は、前記のように、シールド部材３の接続ハブ４０Ｈを固定する機能を有する形態であればよい。
固定部材５の第１係止部５５と第２係止部５６も前記したように（図１１に示したごとく）互いに係合できる形態であり、かくしてカバー５１が、図９、図１１のように、固定部材５の接続ハブ５０ＨのＤＥ方向の開口面を閉じることができるものであればよい。
なお固定部材５の第３係止部５８と傾斜壁６０の機能は、前記のとおりである。
【００７４】
医療用針安全装置１を構成する、シールド部材３、固定部材５は、同一材料で一体成形により形成することが好ましく、製造が容易で引用文献１に記載の発明と比較して安価に製造できる。
シールド部材３は、シールドハブ３５、脚部（３１・３２）、及び接続ハブ４０Ｈを、同一材料で一体成形により形成することが好ましい。
接続ハブ４０Ｈは、第１側部Ｓ１側と第２側部Ｓ２側にそれぞれ、その第２係止部４６と第３係止部４７を同一材料で一体成形により形成ことが好ましい。
固定部材５は、接続ハブ５０Ｈと平らな接触面板５０を同一材料で一体成形により形成することが好ましい。
【００７５】
接続ハブ５０Ｈは、複数の壁（５２、５７、６３）、カバー５１、第３係止部５８、摺動壁（傾斜壁）６０を、同一材料で一体成形により形成することが好ましい。
シールド部材３や固定部材５の材料は、射出成形、押出成形、吹き込み成形、及び注形成形できる熱可塑性合成樹脂で形成することが好ましく、例えばＰＥ（ポリエチレン）、ＰＰ（ポリプロピレン）、ＰＢ（ポリブチレン）、ＰＳ（ポリスチレン）、ＰＶＣ（ポリ塩化ビニル）、ＰＶｄＣ（ポリビニリデンクロライド）、ＰＭＭＡ（ポリメチルメタクリレート）、ＰＭＡ（ポリメチルアクリレート）、ＰＣ（ポリカーボネート）、ＰＡｍ（ポリアミド）、ＥＴＦＥ共重合体等があげられるが、これに限定されるものではない。例えば熱硬化性樹脂により成形することも可能である。
【００７６】
［医療用針安全装置１´］（第二発明（（第二の実施態様）））
以下、図２４〜図４９、図５２−５３を参照して、第二発明（第二の実施態様）の医療用針安全装置１´について説明する。
（第二発明（以下、「第二の実施態様」ともいう。）の医療用針安全装置１´の説明は、符号の複雑化を回避するために、第一発明（第二の実施態様）の医療用針安全装置１と共通ないし、実質的に同じ部材は、同じ符号を使用している。また、第二発明の医療用針安全装置１´において、第一発明の医療用針安全装置１と異なるが、実質的に同じないし対応する機能を有する部品には、符号の複雑化を回避するために、同じ符号を使用し、当該符号に「´」の符号を付している。）
【００７７】
[シールド部材３´]
第二発明の医療用針安全装置１´のシールド部材３´は、図３７〜図４０に例示する形態（形状、構造）を有する。
第二発明の医療用針安全装置１´は、第一発明の医療用針安全装置１と比較して、
シールド部材３´におけるシールド部材接続ハブ４０Ｈ´（以下、「接続ハブ４０Ｈ´」と略記することがある。）の形態が一部異なっている。
（第一発明の）摺動部材４２［末端側壁４３ＤＷ、摺動壁４５（傾斜壁４５ともいう）、下部壁４２Ｂ及び溝４３を有する］の代わりに、［（第二発明の）シールド部材３´は、その接続ハブ４０Ｈ´の］摺動部材４２´を、図２９、３５、特に３８に例示するように、略Ｌ字状（摺動壁４５´と下部壁４２Ｂ´を有する）に形成している点で異なる。
【００７８】
さらに詳述すると、（第二発明の）シールド部材３´は、
（ａ）（第一発明で）摺動部材４２に形成していた末端側壁４３ＤＷ、溝４３、及び傾斜壁４５（第１側Ｓ１側と第２側部Ｓ２側に、それぞれ対向して一対形成している）の代わりに、図３８（Ｂ）に示すように、一つ（単数）の摺動壁４５´を採用している。
（ｂ）（第一発明で）摺動部材４２の末端側壁４３ＤＷ、溝４３、及び傾斜壁４５の下部に形成していた下部壁４２Ｂの代わりに、一つ（単数）の摺動壁４５´の下部に形成した下部壁４２Ｂ´を採用している。
【００７９】
［（第二）摺動部材４２´］
さらに第二発明の摺動部材４２´について詳述する。第二発明の摺動部材４２´を第二摺動部材４２´という場合がある。
摺動部材４２´は、摺動壁４５´と下部壁４２Ｂ´を有し、これらを一体化して略Ｌ字状（すなわち下向きのＬ字状で摺動壁４５´ＰＥ方向に水平に伸び下部壁４２Ｂ´は摺動壁の先端より概略的に下方に伸びている。）に形成している。
より具体的には摺動壁４５´は、図３８（Ｂ）に例示するように、一方の末端ＤＥ側の端部をヒンジ４４に接続している。もう一方の基端ＰＥ側の端部を図３８（Ｂ）に例示するように、下部壁４２Ｂ´に（一体成形により）接続している。
摺動部材４２´は、ヒンジ４４を介して接続ハブ４０Ｈ´の上部Ｕ方向でかつ、基端ＰＥ側に接続している。
【００８０】
これにより摺動部材４２´は、第１・第２脚部（３１、３２）が第一の折り畳み位置から第二の伸長位置まで伸長するときに、これらと連動して動く。
すなわち、摺動部材４２´は、第１・第２脚部（３１、３２）が第一の折り畳み位置から第二の伸長位置まで伸長するときに、ヒンジ４４を起点として、図２９の位置（第一の位置）から図３５の位置（第二の位置）まで、いわば「スイング」して、下部壁４２Ｂ´が、接続ハブ４０Ｈ´の底部（下部Ｄ方向）の開口部４０Ｏ´の断面を遮断するように変位する。これは、第一発明において詳述したとおりである。
【００８１】
さらにいえば、摺動部材４２´の「第一の位置」とは、下部壁４２Ｂ´が、図２９の位置にあり、接続ハブ４０Ｈ´の底部（下部Ｄ方向）の開口部４０Ｏ´の断面を遮断していない位置を意味する。
また摺動部材４２´の「第二の位置」とは、下部壁４２Ｂ´が、図３５の位置にあり、接続ハブ４０Ｈ´の底部（下部Ｄ方向）の開口部４０Ｏ´の断面を遮断している位置を意味する。
【００８２】
摺動壁４５´は、固定部材５´の固定部材接続ハブ５０Ｈ´の摺動壁６０（傾斜壁６０）に当接する部材である。（当接（接触）した状態で摺動する。）
（第二発明の固定部材５´の固定部材接続ハブ５０Ｈ´（以下、「接続ハブ５０Ｈ´」と略記することがある。）については後に詳述する。）
摺動壁４５´は、図２９、３５、３８に例示するように、実質的に「略水平」の「略板状」に形成している。
さらにいえば、摺動壁４５´は、基端ＰＥ側端部に、凹凸またはキャタピラー状のような切り込み（注：図２５において、「横の線」として表現されている。）を形成している。当該凹凸またはキャタピラー状切り込みは、摺動壁４５´が、固定部材５´の摺動壁６０（傾斜壁６０）と相対して、（一気に動いたり、またあまり動きにくくないような）適度に摺動しやすいように形成したものである。
【００８３】
下部壁４２Ｂ´は、第１・第２脚部（３１、３２）が、第一の折り畳み位置から第二の伸長位置まで伸長するときに、これらと連動して接続ハブ４０Ｈ´の開口部４０Ｏ´を閉塞する部材である。
さらにいえば、下部壁４２Ｂ´は、図２９、３５、３８に例示するように、「略水平」ではなく、下部Ｄ方向で、かつ末端ＤＥ側に、切断部４２ＢＳを形成している。
（また、基端ＰＥ側端部、すなわち摺動壁６０（傾斜壁６０）側に、凹凸またはキャタピラーのような切り込み（注：図２５において、上記したように、「横の線」として表現されている。）を形成している。）
【００８４】
以下、摺動部材４２´と固定部材５´の摺動壁６０（傾斜壁６０）とのコンビネーションを採用する場合について説明する。
摺動壁４５´は、組み立て前のときは、図３８（Ｂ）に例示するように、水平軸線ＨＬと略平行になっている。
組み立て後の第一の状態［摺動部材４２´の「第一の位置」］のときは、図２９に例示するように、摺動壁４５´は、垂直軸線ＶＬに対して、鋭角に交わるように、角度γをもって配置される。換言すれば、基端ＰＥ側から末端ＤＥ側へ登るように傾斜して配置されている。
組み立て後の第二の状態［摺動部材４２´の「第二の位置」］のときは、摺動壁４５´は、図３５に例示するように、垂直軸線ＶＬと略平行になっている。
【００８５】
摺動壁４５´は、第１・第２脚部（３１、３２）が、第一の折り畳み位置から第二の伸長位置まで伸長するときに、これらと連動して、前記傾斜壁６０の傾斜面と接触（当接）した状態で、基端ＰＥ側から末端ＤＥ側に動く。（いわゆる摺動する。）これにより下部壁４２Ｂ´が、［第１・第２脚部（３１、３２）が、第一の折り畳み位置から第二の伸長位置まで伸長するときに、これらと連動してシールド部材の接続ハブ４０Ｈの開口部４０Ｏ´を閉塞する動きを促進する。
【００８６】
摺動部材４２´は、第一の状態［第１・第２脚部（３１、３２）が第一の折り畳み位置］にあるときは、摺動部材４２´の下部壁４２Ｂ´は、接続ハブ４０Ｈ´の開口部４０Ｏ´の断面を遮断していない。（すなわち、当該開口部４０Ｏ´より針が下方に突出し伸びる。）
言い換えれば、第一の状態では、針２１は接続ハブ４０Ｈ´の空間４０Ｓ内に挿入されている。（図２９(参照））
第二の状態［第１・第２脚部（３１・３２）が第二の伸長位置］にあるときは、摺動部材４２´の下部壁４２Ｂ´が、接続ハブ４０Ｈ´の開口部４０Ｏ´を閉塞する。（図３５参照）
これにより、摺動部材４２´の下部壁４２Ｂ´が、シールド部材の接続ハブ４０Ｈ´の開口部４０Ｏ´の断面を遮断して、針２１の末端２３が、摺動部材４２´の下部壁４２Ｂ´よりも下部Ｄに（再び）移動するのを阻止する。
これにより針２１の末端２３が、当該接続ハブ４０Ｈ´の開口部４０Ｏ´より、露出するのを防ぐことができる。（図３５参照）
【００８７】
［固定部材５´］
第二発明（第二実施形態）の医療用針安全装置１´における固定部材５´は、例えば図４１〜図４９に例示する形態（形状、構造）を有する。
第二発明（第二の実施形態）の医療用針安全装置１´は、第一発明の医療用針安全装置１と比較して、
固定部材５´の接続ハブ５０Ｈ´と、カバー５１´の一部の形態が異なっている。
また、第二発明の医療用針安全装置１´の接続ハブ５０Ｈ´は、第一発明の医療用針安全装置１の接続ハブ５０Ｈと比較して、以下の点で異なる。
（ａ）（第一発明で）第１側壁５２の内側に形成していた第２係止部５６を、（第二発明では）なくしている。
【００８８】
（ｂ）また（第一発明において）中壁５７の末端ＤＥ側に形成していた固定部材の第３係止部５８をなくしている。
さらに第二発明の医療用針安全装置１´のカバー５１´は、第一発明の医療用針安全装置１のカバー５１と比較して、以下の点で異なる。
（ｃ）（第一発明の）第１係止部５５の形態を、（第二発明では）図４１に示すように、第１係止部５５´の形態に変更している。
（ｄ）（第二発明では）図４１に例示するように、上部Ｕ方向で、かつ末端ＤＥ側に、新たに新規固定部材第２係止部５６´（以下、「新規第２係止部５６´」と略記することがある。）を形成している。新規第２係止部５６´は、閉じたカバー５１´のいわゆる「抑え部材」として機能する。
【００８９】
以下、（第二発明の）固定部材第１係止部５５´（以下、「第１係止部５５´」と略記することがある。）について、詳述する。
（第一発明の）第１係止部５５は、前記で説明したとおり（第一発明の例えば図７参照）、カバー５１の末端ＤＥ側から基端ＰＥ側方向に向けて一対突設していた。
さらに（第一発明で）長尺方向の第１側壁５２の内側に形成していた第２係止部５６と係止できるように、第１係止部５５は、いわゆる「楔状」に形状していた。
これに対して（第二発明の）第１係止部５５´は、図４１〜４９に例示するように、カバー５１´の底壁（下部Ｄ）から上部Ｕ方向に、略垂直に立ち上がるように、第１側部Ｓ１側と第２側部Ｓ２側に一対突設している。
【００９０】
第１係止部５５´は、水平軸線ＨＬ方向の断面（上部Ｕ方向からみた平面）は、いわゆる「略Ｌ字状」の形状を有する。さらにいえば、「蟹爪状」、「クワガタ虫の角状」にも似ている。
固定部材５´のカバー５１´は、図４１〜図４９に例示するように、ヒンジ５４を介して、基端ＰＥ側に略９０°回動して、第１係止部５５エと第１上壁６１の下部Ｄ壁（第二発明では、第一発明の固定部材５のように、第２係止部５６がない）と係合できるように形成している。（図４７（ Ｂ）参照）
【００９１】
固定部材５´の新規第２係止部５６´は、シールド部材３´の接続ハブ４０Ｈ´を、固定部材５´の接続ハブ５０Ｈ´の第１空間５３内に差し込んで接続した後、接続ハブ４０Ｈ´の接続、固定をさらに強固にするために設けたものである。当該新規第２係止部５６´は、図４１〜４９に例示するように、いわゆる「鍵爪状」に形成している。
さらにいえば、新規第２係止部５６´は、第二の形態になった時に、針２１の末端２３を露出させにくくする機能を有する。
カバー５１´を前記のように、ヒンジ５４を介して、基端ＰＥ側に略９０°回動して、やや幅広の第１上壁６１の下部Ｄ壁と係合したときに、これと同時に、例えば図２８等に例示するように、新規第２係止部５６´は、接続ハブ４０Ｈ´の上部接続部４１を、上部Ｕ方向から抑えつける。これにより、一度閉じたカバー５１が、反対側の開く方向に、回動するのを防ぐことができる。
【００９２】
［第一の状態への組み立て：シールド部材３´と固定部材５´との組み立て]
以下、第一発明（第一の実施態様）の場合と同様にしてシールド部材３´をその接続ハブ４０Ｈ´を介して固定部材５´と接続し、また、シールド部材３´のシールドハブ３５等を固定部材５´に載置して組み立てる（第一の状態とする）過程を説明する。
〈１〉図３６に示すように、針ハブ２２を、シールド部材３´のシールドハブ３５に差し込んで固定する。
〈２〉シールド部材３´の接続ハブ４０Ｈ´を、固定部材５´の接続ハブ５０Ｈ´の第１空間５３内に差し込んで接続する。
〈３〉カバー５１´を基端ＰＥ側に、略９０°回動させて閉じる。
この時、図４１に示すように、カバー５１の第１係止部５５´と接続ハブ５０Ｈ´の第１上壁６１の下部Ｄ壁が係合する。
すなわち、図３３に例示するように、シールド部材３´の接続ハブ４０Ｈ´の第１係止部４８は、その末端ＤＥ側の壁面が、固定部材の接続ハブ５０Ｈ´の末端ＤＥ側の下部Ｄ側の壁面に当接される。すなわち図２９（Ａ）に例示するように、カバー５１´の基端ＰＥの側壁は、接続ハブ４０Ｈ´の末端ＤＥ側壁に当接される。
〈４〉これと同時に、新規第２係止部５６´は、例えば図２８等に例示するように、接続ハブ４０Ｈ´の上部接続部４１を、上部Ｕ方向から抑えつける。これにより、一度閉じたカバー５１´が、反対側の開く方向に、回動することはない。
また摺動部材４２´の摺動壁４５´は、例えば図２９に例示するように、固定部材５´の摺動壁（傾斜壁）６０の下部Ｄ側の傾斜面に当接する。
【００９３】
〈５〉図３６に示す、シールド部材３´の第１・第２脚部（３１、３２）を折りたたみ、針２１を末端２３側から、シールド部材の接続ハブ４０Ｈ´の空間４０Ｓ（図３８参照。）に差し込む。
〈６〉第１・第２脚部（３１・３２）は、例えば図２９（Ａ）に例示するように折りたたんで、シールドハブ３５の下部とともに、固定部材５´の第２空間５９内に収納する。［すなわち、空間５９の上に載置する。第１・第２脚部（３１・３２）は、第２空間５９（図４１参照。）の上部の位置に載置される。］
シールド部材３´の第２係止部４６は、第１上壁６１の下部に係止する。（第一発明の図１６参照。）
〈７〉針２１の末端２３側に、図３６に示すように、針カバー６を装着し、保護する。
【００９４】
［針２１の末端２３の保護（シールド）］
〈１〉「移行開始状態」（図２４）
針部材２１を、図２４に示した第一の位置から垂直軸線ＶＬの上部Ｕ側に持ち上げると、第１・第２脚部（３１・３２）がこれに連動して、垂直軸線ＶＬの上部Ｕ側に伸長を開始する。
さらにこれらに連動して、摺動部材４２´の摺動壁４５´が、固定部材の接続ハブ５０Ｈの摺動壁（傾斜壁）６０の下部Ｄ側の傾斜面にそって、末端ＤＥ側に移動を開始する。（いわゆる「摺動」を開始する。（上方に移動する。））シールド部材の第２係止部４６も上部Ｕ方向への移動を開始する。
【００９５】
〈２〉「移行終了状態」
第１・第２脚部（３１・３２）は、垂直軸線ＶＬの上部Ｕ側に伸びきろうとする。
第２係止部４６は、上部開口部５０ＯＵを経て、第１上壁６１を乗り越えようとする。
摺動部材４２の下部壁４２Ｂ´は、接続部ハブ４０Ｈ´の空間４０Ｓに引き込まれ、開口部４０Ｏ´を閉じるように変位する（図３５）。
【００９６】
〈３〉（第二の状態）（図３０）
第１・第２脚部（３１・３２）は、垂直軸線ＶＬの上部Ｕ側に完全に伸びきる。
シールド部材３´の第２係止部４６は、第１上壁６１の上部（天面）に係止される。当該第２係止部４６は、戻り防止の爪となる。また、第３係止部４７は、上部がやや幅広の第１上壁６１の下部Ｄ（底面）に係止され、ストッパーとなり、シールド部材３´の接続ハブ４０Ｈが、固定部材５´の接続ハブ５０Ｈ´から引き抜けるのを防ぐことができる。これらの係止の態様は、基本的に第一発明の図２１と同様である。
接続部ハブ４０Ｈ´の開口部４０Ｏ´（ないし開口部４０Ｏ´近傍）の断面は、摺動部材４２´の下部壁４２Ｂ´により遮断される。針２１の末端２３は、空間４０Ｓ内に収納され、保護（シールド）される。このため針２１の末端２３は、下部壁４２Ｂ´よりも下部Ｕに移動して、外部に露出するのを妨げられる。（第二の位置を示す図３５参照）
【００９７】
さらに、患者への取付け、薬液の注入、患者からの取外しと廃棄までの使用例について説明するが、基本的には、第一発明について述べたものと同様であるので簡単に説明する。
［患者への取り付け、薬液の注入]
〈１〉針カバー６を、取り外して、針２１の末端２３を露出する。
〈２〉垂直軸線ＶＬの下部Ｄ方向に垂下して、患者に埋め込まれたポート（図示せず）へ針２１の末端２３を穿刺する。固定部材５の平らな接触面５０を、テープ等で患者に固定する。
〈３〉抗癌等を含んだ薬液等を、針ハブ２２の基端ＰＥ側に接続された薬液注入チューブＴから薬液等を、針２１の末端２３、ポート（図示せず）を経由して、注入する。
【００９８】
［患者からの取外しと廃棄まで]
薬液の注入が終了したら、作業者（医師、看護師等）は、一方の手を患者の皮膚に当て、もう一方の手で翼部３４を、つかんで上部Ｕに持ち上げる。
これにより、ポート（図示せず）から針２１の末端２３が引き出され、第１・第２脚部（３１・３２）を伸長させる。第１・第２脚部（３１・３２）が伸長中、針２１の末端２３は、接続ハブ４０Ｈ´の空間４０Ｓ内に引き込まれ、さらに接続ハブ４０Ｈ´の下部壁４２Ｂ´が、接続ハブ４０Ｈ´の開口部４０Ｏ´の断面を遮断するように変位する。
これにより、接続ハブ４０Ｈ´の下部壁４２Ｂ´は、針２１の末端２３が、下部壁４２Ｂ´よりも再び下部Ｄ方向に移動するのを防ぐことができる。
第１・第２脚部（３１・３２）が完全に伸長すると、針安全装置１´は、定位置に固定され、針２１の末端２３は、接続ハブ４０Ｈ´によって完全に保護（シールド）することができる。
このようにして作業者（医師・看護師等）は、偶発的な針の露出による針刺事故を心配せずに針２１を処分することができる。
【００９９】
［本発明の他の実施態様］  
本発明（第二発明（第二実施態様））の医療用安全装置１´は、以上の説明と図２４〜図４９に記載した形態に限定されない。
すなわち、脚部（３１・３２）が第一の折り畳み位置から第二の伸長位置まで伸長したときは、摺動部材４２´の下部壁４２Ｂ´は、接続ハブ４０Ｈ´の空間４０Ｓ内に引きこまれ、これにより摺動部材４２´の下部壁４２Ｂ´は、接続ハブ４０Ｈ´の開口部４０Ｏ´の断面を遮断することができ、これにより、針２１の末端２３が、摺動部材４２´の下部壁４２Ｂ´よりも下部Ｄに移動するのを阻止し、針２１の末端２３が外部に露出するのを防ぐことができるものであれば上記した形態に限られるものではない。
【０１００】
［脚部（３１・３２）]
脚部（３１・３２）は、第一の折り畳み位置から第二の伸長位置まで伸長でき、第二の伸長位置にあるときに、接続ハブ４０Ｈ´内に、針２１の末端２３、摺動部材４２´の下部壁４２Ｂ´を、引き込んで、保護（シールド）できる形態であればよい。
図２４〜図２６の例示では、脚部（３１・３２）としては、いわゆる「略板状」のものが記載されているが、これに限られるものではなく、いわゆる「紐状、棒状、帯状、鎖状」等のものでも良い。
【０１０１】
［シールドハブ３５］
シールドハブ３５は、針ハブ２２を固定でき、脚部（３１・３２）が第一の折り畳み位置から第二の伸長位置まで伸長するときに、脚部（３１・３２）と連動して、針２１を上部Ｕ方向に引き上げることができる形態であればここで図示したものに限られるものではない。
【０１０２】
［接続ハブ４０Ｈ´］
図３７〜図４０の例示では、中央部はいわゆる「略角筒状」（横断面矩形状）に形成されているが、針２１の末端２３、摺動部材４２´の下部壁４２Ｂ´を、引き込んで、保護（シールド）できる空間４０Ｓを有する形態であれば、すでに第一発明（第一の実施形態）について述べたそれ以外の形態であってもよい。
また、前記した摺動部材４２´、シールド部材３'の第１係止部４８、第２係止部４６及び第３係止部４７を有するものであればよい。
摺動部材４２´の下部壁４２Ｂ´は、図３５の例示では、開口部４０Ｏ´の断面を、略水平位置で遮断しているが、略斜め位置で遮断できるようにすることもできる。
脚部（３１・３２）の第二の伸長位置における、下部壁４２Ｂ´の姿勢は、斜め位置でもよいし水平位置でもよい。
【０１０３】
［摺動部材４２´］
摺動部材４２´は、図２９、３５、３８の例示では、略Ｌ字状（摺動壁４５´と下部壁４２Ｂ´を有する）に形成しているが、脚部（３１・３２）が第一の折り畳み位置から第二の伸長位置まで伸長するときに、これと連動することができ、接続ハブ４０Ｈ´の空間４０Ｓ内に引き込まれ、当該接続ハブ４０Ｈ´の開口部４０Ｏ´の断面を遮断することができる、いわゆる「壁」を有するものであればそれ以外の形態であってもよい。
また摺動部材４２´は、図２９、３５、３８に例示したように「摺動壁４５´」により、脚部（３１・３２）が第一の折り畳み位置から第二の伸長位置まで伸長するときに、いわゆる「摺動」できるようにしたものである。
すなわち、当該摺動部材４２´は、いわゆる「摺動」できる形態であればよい。例えば、図２９、３５、３８に例示するように、実質的に「略水平」の「略板状」に形成した「摺動壁４５´」に代えて、「湾曲壁」等に形成することもできる。これに呼応（対応）して、固定部材５´の接続ハブ５０Ｈ´も「傾斜壁６０」に代えて、「湾曲壁」等に形成してもよい。これらの「湾曲壁」も「摺動壁」に含まれる。
【０１０４】
［シールド部材３´の第１係止部４８、第２係止部４６、及び第３係止部４７］
シールド部材の１係止部４８、第２係止部４６、及び第３係止部４７は、前記したように第１・第２脚部（３１・３２）が、第一の折り畳み位置から第二の伸長位置まで伸長する時に、シールド部材の接続ハブ４０Ｈ´が、固定部材５の接続ハブ５０Ｈ´から引き抜けないように機能する形態であればよい。すなわち、
第１係止部４８は、図３８に例示したようにいわゆる「突」状（略台形状）に代えて、いわゆる「（鍵）爪」状、「鍔（フランジ）」状とすることができる。
また第２係止部４６は、図３８に例示するように、いわゆる「（鍵）爪」状に代えて、いわゆる「鍔（フランジ）」状、「突」状とすることができる。
さらに第３係止部４７は、図３８に例示するように、いわゆる「鍔（フランジ）」状に代えて、「（鍵）爪」状、「突」状とすることができる。
【０１０５】
［固定部材５´の接続ハブ５０Ｈ´］
固定部材の接続ハブ５０Ｈ´は、前記したように、シールド部材３´の接続ハブ４０Ｈ´が引き抜けないように機能する形態であればよい。
第１空間５３は、接続ハブ４０Ｈ´を収納し、固定できる形態であればよい。
第２空間５９は、シールド部材３´のシールドハブ３５、第一の折り畳み位置の第１・第２脚部（３１・３２）、翼３４を収納（上に載せる）できる形態であればよい。
第１側壁５２、中壁５７、第２側壁６３は、前記したように、固定部材５´の接続ハブ５０Ｈ´を第１空間５３と第２空間５９に区画できる形態であればよい。
カバー５１´は、前記のように、シールド部材３´の続ハブ４０Ｈ´を固定する機能を有する形態であればよい。
固定部材の第１係止部５５´と第２係止部５６´も前記したように互いに係合できる形態であればよい。
【０１０６】
［針ガイド部材７０］
本発明（第二発明）の医療用安全装置１´は、図５０（より詳しくは図５１を参照。）に例示するように、固定部材５´の下部Ｄの下開口部５０ＯＤに、針の上方への移動を安定して行うための針ガイド部材７０を装着することができる。
固定部材５´は、針ガイド部材７０を装着するために、図４１、図４７に例示するように、第１側壁５２［の第１側部Ｓ１内側と第２側部Ｓ２内側］の末端ＤＥ寄りに、第１側壁係止溝５２Ｍを形成する。
さらに固定部材５´は、図５３（Ａ）に例示するように摺動壁６０の略中腹部ないし下部Ｄ側寄りに針ガイド部材係止部６０Ｋ（「係止溝」ともいう）を形成する。
【０１０７】
針ガイド部材７０は、図５１に例示するように、平らな略板状の壁７１（以下、単に「壁７１」と略記する）を有する。
壁７１は、略中央部から末端ＤＥ側にわたって針通過孔７２を形成している。
針通過孔７２は、二つのいわゆる「略矩形状」を繋げて略凸状に形成し、略中央部より末端ＤＥ側を大きく形成している。
また壁７１は、第１側部Ｓ１側と第２側部Ｓ２側に、針ガイド部材第１係止部７３（以下、単に「第１係止部７３」と略記する）を形成している。
第１係止部７３は、第１側部Ｓ１側（第２側部Ｓ２側）の末端ＤＥ寄りに配置（形成）し、上部Ｕ方向に立ち上がるように形成している。第１係止部７３の上部Ｕ側は、第１側部Ｓ１側（第２側部Ｓ２側）から見ていわゆる「略Ｌ字状」に形成している。
【０１０８】
また壁７１は、基端ＰＥ側に針ガイド部材第２係止部７５を形成している。
第２係止部７５は、基端ＰＥ側の略中央に配置（形成）し、上部Ｕ方向に立ち上がるように形成している。当該第２係止部７５は、第１側部Ｓ１側（第２側部Ｓ２側）から見ていわゆる「略Ｌ字状」に形成している。
【０１０９】
針ガイド部材７０の第１係止部７３は、固定部材５´の第１側壁係止溝５２Ｍに貫入して係止する。
第２係止部７５は、図５３に示したように固定部材５´の摺動壁６０の針ガイド部材係止部６０Ｋに係止する。
針ガイド部材７０の壁７１は、図５０、図５３（Ｂ）に例示するように、固定部材５´の下開口部５０ＯＤの大部分を覆う。
針２１は、壁７１に形成された針通過孔７２（壁７１を装着していない下開口部５０ＯＤよりもはるかに開口面積が狭い）を経て上部Ｕ方向に移動する。
このため針２１は、上方向の移動中に横方向の揺動が針通過孔７２内に制限されるため、ガタツキが少なく安定して上部Ｕ方向に移動することができる。
【０１１０】
［針ガイド部材７０´］
針ガイド部材の形状は、その機能を保持しうる限りにおいて任意の変更が可能であり、図５１の針ガイド部材７０に代えて、図５２に例示する針ガイド部材７０´を使用することができる。
針ガイド部材７０´は、壁７１´の針通過孔７２´と第１係止部７３´の形態（形状）が針ガイド部材７０と異なる。すなわち、
壁７１´は、略中央部から末端ＤＥ側にわたって（外方に連続する形状にして）針通過孔７２´を形成している。
針通過孔７２´は、二つのいわゆる「略円ないし略長円状」を繋げていわゆる「略だるま状」に形成している。略中央部より末端ＤＥ側を大きく形成し、末端ＤＥ側は貫通している。
第１係止部７３´は、全体が末端ＤＥ側（基端ＰＥ側）から見ていわゆる「略Ｌ字状」に形成している。
【０１１１】
針ガイド部材７０´は、前記のように壁７１´の針通過孔７２´と第１係止部７３´の形態（形状）が針ガイド部材７０と異なるが、針ガイド部材７０と同様に第１係止部７３´は、図４１、図４７に記載された固定部材５´の第１側壁係止溝５２Ｍに係止することができる。
第２係止部７５´は、第２係止部７５と同様に固定部材５´の摺動壁６０の針ガイド部材係止部６０Ｋに係止することができる。
壁７１´は、固定部材５´の下開口部５０ＯＤの大部分を覆うことができる。
針２１は、壁７１´に形成された針通過孔７２´（壁７１´を装着していない下開口部５０ＯＤよりもはるかに開口面積が狭い）を経て上部Ｕ方向に移動する。このため針２１は、上方向の移動中に横方向の揺動が針通過孔７２'内に制限されるため、ガタツキが少なく安定して上部Ｕ方向に移動することができる。
【０１１２】
また第一発明の医療用安全装置１も第二発明の医療用安全装置１´と同様に、針ガイド部材（７０、７０´）を装着して、針２１の移動中のガタツキを少なく安定して上部Ｕ方向に移動することができる。
すなわち図５４、図５５に例示するように、固定部材５の下部Ｄの下開口部５０ＯＤに、前記針ガイド部材（７０、７０´）を装着することができる。
固定部材５は、針ガイド部材（７０、７０´）を装着するために、図５５に例示するように、第１側壁５２［の第１側部Ｓ１内側と第２側部Ｓ２内側］の末端ＤＥ寄りに、第１側壁係止溝５２Ｍを形成する。
さらに固定部材５は、図５４（Ａ）に例示するように摺動壁６０の略中腹部ないし下部Ｄ側寄りに針ガイド部材係止部６０Ｋ（「係止溝」ともいう）を形成する。
【０１１３】
第二発明（第二の実施態様）にかかる医療用針安全装置１´を構成する、シールド部材３´、固定部材５´は、同一材料で一体成形により形成することができるので、製造が容易で引用文献１に記載の発明と比較して安価に製造できる。
シールド部材３´は、シールドハブ３５、脚部（３１・３２）、及び接続ハブ４０Ｈ´を、同一材料で一体成形により形成することが好ましい。
当該接続ハブ４０Ｈ´は、図３８（Ａ）、（Ｂ）に示したように、第１側部Ｓ１側と第２側部Ｓ２側にそれぞれ、第２係止部４６と第３係止部４７を同一材料で一体成形により形成することができる。
固定部材５´は、その接続ハブ５０Ｈ´と平らな接触面板５０を同一材料で一体成形により形成している。
固定部材の接続ハブ５０Ｈ´は、複数の壁（５２、５７、６３）、カバー５１´、第３係止部５８、摺動壁（傾斜壁）６０を、同一材料で一体成形により形成することが好ましい。
シールド部材３´や固定部材５´の材料は、第一発明の場合と同様に、射出成形等が可能な熱可塑性合成樹脂で形成することが好ましく、例えばＰＥ（ポリエチレン）、ＰＰ（ポリプロピレン）、ＰＢ（ポリブチレン）、ＰＳ（ポリスチレン）、ＰＶＣ（ポリ塩化ビニル）、ＰＶｄＣ（ポリビニリデンクロライド）、ＰＭＭＡ（ポリメチルメタクリレート）、ＰＭＡ（ポリメチルアクリレート）、ＰＣ（ポリカーボネート）、ＰＡｍ（ポリアミド）、ＥＴＦＥ共重合体等があげられるが、第一発明の場合と同様に、これらに限定されるものではない。
【０１１４】
なお、参考のため、本発明の幾つかの実施態様をまとめて記載しておく。
第一発明（の実施態様）は、以下のとおりである。
〔１〕
医療用針安全装置（１）であって、
針部材（２）と、シールド部材（３）と、固定部材（５）とを有し、
前記針部材（２）は、末端（２３）を有する針（２１）を有し、当該針（２１）は、基端ＰＥ側を針ハブ（２２）に固定し、
前記シールド部材（３）は、シールドハブ（３５）と、シールド部材接続ハブ（４０Ｈ）と、脚部（３１・３２）とを有し、
前記固定部材（５）は、固定部材接続ハブ（５０Ｈ）を有し、
前記シールド部材（３）のシールド部材接続ハブ（４０Ｈ）は、摺動部材（４２）を有し、
当該シールド部材接続ハブ（４０Ｈ）は、前記針（２１）の末端（２３）と前記摺動部材（４２）の壁（４３ＤＷ）を収容することのできる空間（４０Ｓ）を形成し、
当該シールド部材接続ハブ（４０Ｈ）は、下部Ｄに針（２１）が通過できる開口部（４０Ｏ）を有し、
前記脚部（３１・３２）は、第１の折り畳み位置から第２の伸張位置まで伸張でき、
前記摺動部材（４２）の壁（４３ＤＷ）は、前記脚部（３１・３２）が第一の折り畳み位置から第二の伸長位置まで伸びるときに、これらと連動して、前記空間（４０Ｓ）の断面を遮断することができる位置まで変位し、
前記脚部（３１・３２）が第一の折り畳み位置にあるときは、前記針（２１）は、前記接続部ハブ（４０Ｈ）の空間（４０Ｓ）内に挿入され、
前記脚部（３１・３２）が第二の伸長位置までに伸長されたときは、前記摺動部材（４２）の壁（４３ＤＷ）は、前記シールド部材接続ハブ（４０Ｈ）の空間（４０Ｓ）内に引きこまれ、
これにより前記摺動部材（４２）の壁（４３ＤＷ）は、前記シールド部材接続ハブ（４０Ｈ）の空間（４０Ｓ）の断面を遮断して、前記針（２１）の末端（２３）が、前記摺動部材（４２）の壁（４３ＤＷ）よりも下部Ｄに移動するのを阻止し、
前記針（２１）の末端（２３）が外部に露出するのを防ぐことができるように形成した、
ことを特徴とする針安全装置（１）。
【０１１５】
〔２〕
前記シールド部材（３）のシールド部材接続ハブ（４０Ｈ）は、基端ＰＥ側に前記摺動部材（４２）を形成し、
末端ＤＥ側にシールド部材第１係止部（４８）を形成し、第１側部Ｓ１側と第２側部Ｓ２側にそれぞれ、シールド部材第２係止部（４６）と、シールド部材第３係止部（４７）を形成し、
前記シールド部材第２係止部（４６）は、前記シールド部材第３係止部（４７）よりも上部Ｕに形成したことを特徴とする〔１〕に記載の医療用針安全装置（１）。
【０１１６】
〔３〕
前記固定部材（５）の固定部材接続ハブ（５０Ｈ）は、複数の壁（５２、５７、６３）とカバー（５１）を有し、
前記複数の壁（５２、５７、６３）と前記カバー（５１）の壁（５１Ｗ）により、
当該固定部材接続ハブ（５０Ｈ）の空間を、第１空間（５３）と第２空間（５９）に区画し、
前記第１空間（５３）は、前記シールド部材（３）のシールド部材接続ハブ（４０Ｈ）を収納することができる、ことを特徴とする〔１〕または〔２〕に記載の医療用針安全装置（１）。
【０１１７】
〔４〕
前記固定部材（５）の固定部材接続ハブ（５０Ｈ）の複数の壁（５２、５７、６３）は、
水平軸線ＨＬの長さ方向に延設した一対の第１側壁（５２）と、
固定部材接続ハブ（５０Ｈ）の基端ＰＤ側に第１側部Ｓ１から第２側部Ｓ２方向に形成した第２側壁（６３）と、
前記一対の第１側壁（５２）の途中から第１側部Ｓ１から第２側部Ｓ２方向に形成した中壁（５７）と、
当該中壁（５７）の基端側に形成した摺動壁（６０）とを有し、
当該中壁（５７）の末端側に、第３係止部（５８）を形成した、ことを特徴とする〔１〕から〔３〕のいずれか１項に記載の医療用針安全装置（１）。
【０１１８】
〔５〕
前記シールド部材（３）のシールド部材接続ハブ（４０Ｈ）の摺動部材（４２）は、
末端側壁（４３ＤＷ）と下部壁（４２Ｂ）を有し、
第１側Ｓ１側と第２側部Ｓ２側に、摺動壁（４５）を形成し、
当該摺動壁（４５）に、溝（４３）を形成した、ことを特徴とする〔１〕から〔４〕のいずれか１項に記載の医療用針安全装置（１）。
【０１１９】
〔６〕
前記シールド部材（３）のシールド部材接続ハブ（４０Ｈ）と、前記固定部材（５）の接続ハブ（５０Ｈ）とを接続した時、
前記固定部材（５）の固定部材接続ハブ（５０Ｈ）の固定部材第３係止部（５８）は、前記シールド部材（３）の摺動部材（４２）の溝（４３）に係止され、かつ
前記摺動部材（４２）の摺動壁（４５）は、前記中壁（５７）の摺動壁（６０）に当接され、
前記シールド部材接続ハブ（４０Ｈ）の摺動部材（４２）が、前記脚部（３１・３２）が第一の折り畳み位置から第二の伸長位置まで伸長するときに、これらと連動して、前記接続ハブ（４０Ｈ）の空間（４０Ｓ）内に引き込まれ、
前記摺動部材（４２）の末端側壁（４３ＤＷ）は、前記空間（４０Ｓ）の断面を遮断することができる位置まで変位することができる、ことを特徴とする〔４〕または〔５〕に記載の医療用針安全装置（１）。
【０１２０】
〔７〕
前記脚部（３１・３２）が第一の折り畳み位置にあるときは、
前記シールド部材（３）のシールド部材接続ハブ（４０Ｈ）の第２係止部（４６）は、前記固定部（５）の固定部材接続ハブ（５０Ｈ）の第１上壁（６１）の下部の位置にあり、
前記脚部（３１・３２）が第一の折り畳み位置から第二の伸長位置まで伸長したときは、
前記シールド部材接続ハブ（４０Ｈ）のシールド部材第２係止部（４６）は、第１上壁（６１）の上部に係止され、かつ前記シールド部材接続ハブ（４０Ｈ）のシールド部材第３係止部（４７）は、第１上壁（６１）の下部に係止され、
前記シールド部材接続ハブ（４０Ｈ）が、前記固定部材（５）の固定部材接続ハブ（５０Ｈ）から抜けるのを防止することができる、ことを特徴とする〔１〕から〔６〕のいずれか１項に記載の医療用針安全装置（１）。
【０１２１】
〔８〕
前記シールド部材（３）のシールド部材接続ハブ（４０Ｈ）の摺動壁（４５）に溝（４３）を形成し、当該溝（４３）に係止するめに、前記固定部材（５）の固定部材接続ハブ（５０Ｈ）の中壁（５７）の固定部材第３係止部（５８）をリブ状に形成し、または
前記シールド部材（３）のシールド部材接続ハブ（４０Ｈ）の摺動壁（４５）に、リブ状の係止部を形成し、当該リブ状の係止部を係止するめに、前記固定部材（５）の固定部材接続ハブ（５０Ｈ）の中壁（５７）に溝を形成した、ことを特徴とする〔４〕から〔７〕のいずれか１項に記載の医療用針安全装置（１）。
【０１２２】
〔９〕
前記シールド部材（３）は、前記シールドハブ（３５）、前記脚部（３１・３２）、及び前記シールド部材接続ハブ（４０Ｈ）を、同一材料で一体成形により形成した、ことを特徴とする〔１〕から〔８〕のいずれか１項に記載の医療用針安全装置（１）。
【０１２３】
〔１０〕
前記固定部材（５）は、針ガイド部材（７０、７０´）を有し、当該針ガイド部材（７０、７０´）を、下開口部（５０ＯＤ）に装着した、ことを特徴とする〔１〕から〔９〕のいずれか１項に記載の針安全装置（１）。
【０１２４】
〔１１〕
前記針ガイド部材（７０、７０´）は、略板状の壁（７１、７１´）を有し、
当該壁（７１、７１´）は、針通過孔（７２、７２´）を有し、
前記壁（７１、７１´）は、針ガイド部材第１係止部（７３、７３´）と針ガイド部材第２係止部（７５、７５´）とを有する、ことを特徴とする〔１〕から〔１０〕のいずれか１項に記載の針安全装置（１）。
【０１２５】
〔１２〕
前記固定部材（５）は、第１側壁（５２）に第１側壁係止溝（５２Ｍ）を有し、
前記固定部材（５）は、摺動壁（６０）の略中腹部ないし下部Ｄ側に針ガイド部材係止部（６０Ｋ）を有し、
前記針ガイド部材（７０、７０´）の針ガイド部材第１係止部（７３、７３´）を前記第１側壁係止溝（５２Ｍ）に係止し、
前記針ガイド部材（７０、７０´）の針ガイド部材第２係止部（７５、７５´）を前記針ガイド部材係止部（６０Ｋ）に係止した、ことを特徴とする〔１〕から〔１１〕のいずれか１項に記載の針安全装置（１）。
【０１２６】
〔１３〕
前記針（２１）は、基端ＰＥ側から末端ＤＥ側へ向かう途中から、水平軸線ＨＬに対して、垂直軸線ＶＬ側に所定の角度で折れ曲がり、
前記針（２１）の基端ＰＥ側の針ハブ（２２）を、前記シールドハブ（３５）に固定したことを特徴とする〔１〕から〔１２〕のいずれか１項に記載の針安全装置（１）。
【０１２７】
第二発明（の実施態様）は、以下のとおりである。
〔１４〕
医療用針安全装置（１´）であって、
針部材（２）と、シールド部材（３´）と、固定部材（５´）とを有し、
前記針部材（２）は、末端（２３）を有する針（２１）を有し、当該針（２１）は、基端ＰＥ側を針ハブ（２２）に固定し、
前記シールド部材（３´）は、シールドハブ（３５）と、シールド部材接続ハブ（４０Ｈ´）と、脚部（３１・３２）とを有し、
前記固定部材（５´）は、固定部材接続ハブ（５０Ｈ´）を有し、
前記シールド部材（３´）のシールド部材接続ハブ（４０Ｈ´）は、摺動部材（４２´）を有し、
当該シールド部材接続ハブ（４０Ｈ´）は、前記針（２１）の末端（２３）と前記摺動部材（４２´）の壁（４２Ｂ´、４５´）を収容することのできる空間（４０Ｓ）を形成し、
当該シールド部材接続ハブ（４０Ｈ´）は、下部Ｄに針（２１）が通過できる開口部（４０Ｏ´）
を有し、
前記脚部（３１・３２）は、第１の折り畳み位置から第２の伸張位置まで伸張でき、
前記摺動部材（４２）の壁（４２Ｂ´、４５´）は、前記脚部（３１・３２）が第一の折り畳み位置から第二の伸長位置まで伸びるときに、これらと連動して、前  記接続部ハブ（４０Ｈ´）の開口部（４０Ｏ´）の断面を遮断することができる位置まで変位し、
前記脚部（３１・３２）が第一の折り畳み位置にあるときは、前記針（２１）は、前記シールド部材接続ハブ（４０Ｈ´）の空間（４０Ｓ）内に挿入され、
前記脚部（３１・３２）が第二の伸長位置までに伸長されたときは、前記摺動部材（４２´）の壁（４２Ｂ´）は、前記シールド部材接続ハブ（４０Ｈ´）の空間（４０Ｓ）内に引きこまれ、
これにより前記摺動部材（４２´）の壁（４２Ｂ´）は、前記シールド部材接続ハブ（４０Ｈ´）の開口部（４０Ｏ´）の断面を遮断して、前記針（２１）の末端（２３）が、前記摺動部材（４２´）の壁（４２Ｂ´）よりも下部Ｄに移動するのを阻止し、
前記針（２１）の末端（２３）が外部に露出するのを防ぐことができるように形成した、
ことを特徴とする針安全装置（１´）。
【０１２８】
〔１５〕
前記シールド部材（３）のシールド部材接続ハブ（４０Ｈ´）は、基端ＰＥ側に前記摺動部材（４２´）を形成し、
末端ＤＥ側にシールド部材第１係止部（４８）を形成し、第１側部Ｓ１側と第２側部Ｓ２側にそれぞれ、シールド部材第２係止部（４６）と、シールド部材第３係止部（４７）を形成し、
前記シールド部材第２係止部（４６）は、前記シールド部材第３係止部（４７）よりも上部Ｕに形成したことを特徴とする〔１４〕に記載の医療用針安全装置（１´）。
【０１２９】
〔１６〕
前記固定部材（５）の固定部接続ハブ（５０Ｈ´）は、複数の壁（５２、５７、６３）とカバー（５１´）を有し、
前記複数の壁（５２、５７、６３）と前記カバー（５１´）の壁（５１Ｗ）により、
当該固定部材接続ハブ（５０Ｈ´）の空間を、第１空間（５３）と第２空間（５９）に区画し、
前記第１空間（５３）は、前記シールド部材（３´）のシールド部材接続ハブ（４０Ｈ´）を収納することができる、ことを特徴とする〔１４〕または〔１５〕に記載の医療用針安全装置（１´）。
【０１３０】
〔１７〕
前記固定部材（５）の固定部材接続ハブ（５０Ｈ´）の複数の壁（５２、５７、６３）は、
水平軸線ＨＬの長さ方向に延設した一対の第１側壁（５２）と、
固定部材接続ハブ（５０Ｈ´）の基端ＰＤ側に第１側部Ｓ１から第２側部Ｓ２方向に形成した第２側壁（６３）と、
前記一対の第１側壁（５２）の途中から第１側部Ｓ１から第２側部Ｓ２方向に形成した中壁（５７）と、
当該中壁（５７）の基端側に形成した摺動壁（６０）とを有する、ことを特徴とする〔１４〕から〔１６〕のいずれか１項に記載の医療用針安全装置（１´）。
【０１３１】
〔１８〕
前記シールド部材（３´）のシールド部材接続ハブ（４０Ｈ´）の摺動部材（４２´）は、摺動壁（４５´）と下部壁（４２Ｂ´）を有する、ことを特徴とする〔１４〕から〔１７〕のいずれか１項に記載の医療用針安全装置（１´）。
【０１３２】
〔１９〕
前記シールド部材（３´）のシールド部材接続ハブ（４０Ｈ´）と、前記固定部材（５´）の固定部材接続ハブ（５０Ｈ´）とを接続した時、
前記摺動部材（４２´）の摺動壁（４５´）は、前記中壁（５７）の摺動壁（６０）に当接され、
前記シールド部材接続ハブ（４０Ｈ´）の摺動部材（４２´）は、前記脚部（３１・３２）が第一の折り畳み位置から第二の伸長位置まで伸長するときに、これらと連動して、前記シールド部材接続ハブ（４０Ｈ´）の空間（４０Ｓ´）内に引き込まれ、
前記摺動部材（４２´）の下部壁（４２Ｂ´）は、前記開口部（４０Ｏ´）の断面を遮断することができる位置まで変位することができる、ことを特徴とする〔１４〕または〔１５〕に記載の医療用針安全装置（１´）。
【０１３３】
〔２０〕
前記脚部（３１・３２）が第一の折り畳み位置にあるときは、
前記シールド部材（３´）のシールド部材接続ハブ（４０Ｈ´）のシールド部材第２係止部（４６）は、前記固定部（５）の固定部材接続ハブ（５０Ｈ´）の第１上壁（６１）の下部の位置にあり、
前記脚部（３１・３２）が第一の折り畳み位置から第二の伸長位置まで伸長したときは、
前記シールド部材接続ハブ（４０Ｈ´）のシールド部材第２係止部（４６）は、第１上壁（６１）の上部に係止され、かつ前記シールド部材接続ハブ（４０Ｈ´）のシールド部材第３係止部（４７）は、第１上壁（６１）の下部に係止され、
前記シールド部材接続ハブ（４０Ｈ´）が、前記固定部材（５´）の固定部材接続ハブ（５０Ｈ´）から抜けるのを防止することができる、ことを特徴とする〔１４〕から〔１９〕のいずれか１項に記載の医療用針安全装置（１´）。
【０１３４】
〔２１〕
前記カバー（５１´）は、上部Ｕに、新規固定部材第２係止部（５６´）を有し、
前記シールド部材（３´）のシールド部材接続ハブ（４０Ｈ´）と、前記固定部材（５´）の固定部材接続ハブ（５０Ｈ´）とを接続した時、
前記新規固定部材第２係止部（５６´）は、前記シールド部材（３´）のシールド部材接続ハブ（４０Ｈ´）を、上部Ｕ方向から抑えつけて、一度閉じたカバー（５１´）が開かないように形成した、ことを特徴とする〔１４〕から〔２０〕のいずれか１項に記載の医療用針安全装置（１´）。
【０１３５】
〔２２〕
前記シールド部材（３´）は、前記シールドハブ（３５）、前記脚部（３１・３２）、及び前記シールド部材接続ハブ（４０Ｈ´）を、同一材料で一体成形により形成した、ことを特徴とする〔１４〕から〔２１〕のいずれか１項に記載の医療用針安全装置（１´）。
【０１３６】
〔２３〕
前記固定部材（５´）は、針ガイド部材（７０、７０´）を有し、当該針ガイド部材（７０、７０´）を、下開口部（５０ＯＤ）に装着した、ことを特徴とする〔１４〕から〔２２〕のいずれか１項に記載の針安全装置（１´）。
【０１３７】
〔２４〕
前記針ガイド部材（７０、７０´）は、略板状の壁（７１、７１´）を有し、
当該壁（７１、７１´）は、針通過孔（７２、７２´）を有し、
前記壁（７１、７１´）は、針ガイド部材第１係止部（７３、７３´）と針ガイド部材第２係止部（７５、７５´）とを有する、ことを特徴とする〔１４〕から〔２３〕のいずれか１項に記載の針安全装置（１´）。
【０１３８】
〔２５〕
前記固定部材（５´）は、第１側壁（５２）に第１側壁係止溝（５２Ｍ）を有し、
前記固定部材（５´）は、摺動壁（６０）の下部Ｄ側に針ガイド部材係止部（６０Ｋ）を有し、
前記針ガイド部材（７０、７０´）の針ガイド部材第１係止部（７３、７３´）を前記第１側壁係止溝（５２Ｍ）に係止し、
前記針ガイド部材（７０、７０´）の針ガイド部材第２係止部（７５、７５´）を前記針ガイド部材係止部（６０Ｋ）に係止した、ことを特徴とする〔１４〕から〔２４〕のいずれか１つに記載の針安全装置（１´）。
【０１３９】
〔２６〕
前記針（２１）は、基端ＰＥ側から末端ＤＥ側へ向かう途中から、水平軸線ＨＬに対して、垂直軸線ＶＬ側に所定の角度で折れ曲がり、
前記針（２１）の基端ＰＥ側の針ハブ（２２）を、前記シールドハブ（３５）に固定したことを特徴とする〔１４〕から〔２５〕のいずれか１項に記載の針安全装置（１´）。
【産業上の利用可能性】
【０１４０】
本発明は以下の産業上の利用可能性を有する。
本発明の医療用針安全装置１、１´によれば、使用後の針末端が、外部に露出するのを確実に防止することができる。したがって、装置内に収納した患者の血液等が付着していて針の末端が、偶発的に外に飛び出すことがないので、作業者は安心して廃棄することができ、また、針の末端に患者の血液等が付着していても、装置外に、付着血液が飛散することを防ぐことができるので、衛生的である。
また本発明の医療用針安全装置１、１´によればシールド部材３、３´を構成するシールドハブ、脚部、及びシールド部材のハブ接続ハブを、同一材料で一体成形により形成できるので、製造が容易でかつ安価に製造できる。
【符号の説明】
【０１４１】
１、１´  医療用針安全装置
２  針部材
３、３´  シールド部材
５、５´  固定部材
６  針カバー
ＨＬ  水平軸線
ＶＬ  垂直軸線
ＰＥ  基端
ＤＥ  末端
Ｓ１  第１側部
Ｓ２  第２側部
Ｕ  上部
Ｄ  下部
２１  針
２２  針ハブ
２３  末端
３１  第１脚部
３２  第２脚部
３４  翼
３４Ｈ  ヒンジ
３５  シールドハブ
３５Ｓ  円筒形状空隙部
３７  基端側ヒンジ
３８  末端側ヒンジ
３９  中間ヒンジ
４０Ｈ、４０Ｈ´  シールド部材接続ハブ
４０Ｓ  空間
４０Ｏ、４０Ｏ´  開口部
４１  上部接続部
４２、４２´  第一摺動部材、第二摺動部材
４２Ｂ、４２Ｂ´  下部壁
４２ＢＳ´  切断部
４３ＤＷ  壁（末端側壁）
４３  溝
４４  ヒンジ
４５、４５´  摺動壁（傾斜壁）
４６  シールド部材第２係止部
４７  シールド部材第３係止部
４８  シールド部材第１係止部
５０  平らな接触面板
５０ＯＵ  上開口部
５０ＯＤ  下開口部
５０Ｈ  固定部材接続ハブ
５１、５１´  カバー
５１Ｗ  カバー壁
５２  第１側壁
５２Ｍ  第１側壁係止溝
５３  第１空間
５４  ヒンジ
５５、５５´  固定部材第１係止部
５６、５６´  固定部材第２係止部（抑え部材）
５７  中壁
５８  固定部材第３係止部
５９  第２空間
６０  摺動壁（傾斜壁）
６０Ｋ  針ガイド部材係止部
６１  第１上壁
６２  第２上壁
６３  第２側壁
６３Ｃ  湾曲面
Ｔ  チューブ
７０、７０´  針ガイド部材
７１、７１´  壁
７２、７２´  針通過孔
７３、７３´  針ガイド部材第１係止部
７５、７５´  針ガイド部材第２係止部
【図１】
2013138853.tif 000003
【図２】
2013138853.tif 000004
【図３】
2013138853.tif 000005
【図４】
2013138853.tif 000006
【図５】
2013138853.tif 000007
【図６】
2013138853.tif 000008
【図７】
2013138853.tif 000009
【図８】
2013138853.tif 000010
【図９】
2013138853.tif 000011
【図１０】
2013138853.tif 000012
【図１１】
2013138853.tif 000013
【図１２】
2013138853.tif 000014
【図１３】
2013138853.tif 000015
【図１４】
2013138853.tif 000016
【図１５】
2013138853.tif 000017
【図１６】
2013138853.tif 000018
【図１７】
2013138853.tif 000019
【図１８】
2013138853.tif 000020
【図１９】
2013138853.tif 000021
【図２０】
2013138853.tif 000022
【図２１】
2013138853.tif 000023
【図２２】
2013138853.tif 000024
【図２３】
2013138853.tif 000025
【図２４】
2013138853.tif 000026
【図２５】
2013138853.tif 000027
【図２６】
2013138853.tif 000028
【図２７】
2013138853.tif 000029
【図２８】
2013138853.tif 000030
【図２９】
2013138853.tif 000031
【図３０】
2013138853.tif 000032
【図３１】
2013138853.tif 000033
【図３２】
2013138853.tif 000034
【図３３】
2013138853.tif 000035
【図３４】
2013138853.tif 000036
【図３５】
2013138853.tif 000037
【図３６】
2013138853.tif 000038
【図３７】
2013138853.tif 000039
【図３８】
2013138853.tif 000040
【図３９】
2013138853.tif 000041
【図４０】
2013138853.tif 000042
【図４１】
2013138853.tif 000043
【図４２】
2013138853.tif 000044
【図４３】
2013138853.tif 000045
【図４４】
2013138853.tif 000046
【図４５】
2013138853.tif 000047
【図４６】
2013138853.tif 000048
【図４７】
2013138853.tif 000049
【図４８】
2013138853.tif 000050
【図４９】
2013138853.tif 000051
【図５０】
2013138853.tif 000052
【図５１】
2013138853.tif 000053
【図５２】
2013138853.tif 000054
【図５３】
2013138853.tif 000055
【図５４】
2013138853.tif 000056
【図５５】
2013138853.tif 000057